(57)【要約】【課題】通常放送、マルチビュー放送といった放送サービスの違いに応じて、画面表示形態を自動的に切り替える。【解決手段】受信部１１で受信された多重化ストリームからそれぞれ所定の周期で多重化され、抽出部１２で抽出された、編成チャンネル情報と、テーブルとを参照し、編成チャンネルで同時に出力表示可能なｎ本の画像ストリームデータを識別するｎ個の第２の識別情報を取得する第２の識別情報取得部１２，１４と、取得されたｎ個の第２の識別情報に基づいて、ｎ本の画像ストリームデータをそれぞれ抽出する画像ストリームデータ抽出部１２と、抽出されたｎ個の画像ストリームデータを復号する復号部１７ａ，１７ｂ，１７ｃと、復号されたｎ個の画像データを同一画面上に出力表示するよう制御する制御部１４を備えることで実現する。【選択図】  図２
2004193673.tif 000002
【特許請求の範囲】
【請求項１】
複数の編成チャンネルでそれぞれ提供される複数の画像ストリームデータが多重化された多重化ストリームを受信する受信装置であって、
上記複数の編成チャンネルそれぞれにおいて、同時に出力表示可能な画像ストリームデータの最大本数ｎ（ｎは自然数）と、上記複数の編成チャンネルそれぞれにおいて、同時に出力表示可能なｎ本の画像ストリームデータを各編成チャンネル内でそれぞれ識別する第１の識別情報とが記述された編成チャンネル情報と、
上記複数の編成チャンネルそれぞれにおいて同時に出力表示可能なｎ本の画像ストリームデータを、上記多重化ストリームにおいてそれぞれ識別する第２の識別情報と、上記第１の識別情報とを関係づけるテーブルとが、それぞれ所定の周期で多重化された上記多重化ストリームを受信する受信手段と、
上記複数の編成チャンネルから所望の編成チャンネルを選択するチャンネル選択手段と、
上記受信手段で受信された上記多重化ストリームにそれぞれ所定の周期で多重化された上記編成チャンネル情報と、上記テーブルとを抽出する抽出手段と、
上記抽出手段で抽出された上記編成チャンネル情報を参照し、上記チャンネル選択手段で選択された編成チャンネルで同時に出力表示可能なｎ本の画像ストリームデータを識別するｎ個の第１の識別情報を取得する第１の識別情報取得手段と、
上記抽出手段で抽出された上記テーブルを参照し、上記第１の識別情報取得手段によって取得された上記ｎ個の第１の識別情報に対応するｎ個の第２の識別情報を取得する第２の識別情報取得手段と、
上記第２の識別情報取得手段によって取得された上記ｎ個の第２の識別情報に基づいて、上記多重化ストリームに多重化されたｎ本の画像ストリームデータをそれぞれ抽出する画像ストリームデータ抽出手段と、
上記画像ストリームデータ抽出手段によって抽出されたｎ本の画像ストリームデータをｎ個の画像データにそれぞれ復号するｎ個の復号手段と、
上記ｎ個の復号手段によって復号されたｎ個の画像データのうちｍ（ｍはｍ≦ｎを満たす自然数）個の画像を同一画面上に出力表示するよう制御する制御手段とを備えること
を特徴とする受信装置。
【請求項２】
上記編成チャンネル情報及び上記テーブルは、それぞれ上記多重化ストリームに多重化されたＥＩＴ（Ｅｖｅｎｔ  Ｉｎｆｏｒｍａｔｉｏｎ  Ｔａｂｌｅ）及びＰＭＴ（Ｐｒｏｇｒａｍ  Ｍａｐ  Ｔａｂｌｅ）であり、
上記抽出手段は、上記多重化ストリームに多重化されたＥＩＴと、ＰＭＴとを抽出し、
上記第１の識別情報取得手段は、上記ＥＩＴを参照することで、上記チャンネル選択手段で選択された編成チャンネルで同時に出力表示可能なｎ本の画像ストリームデータを当該編成チャンネルにおいて識別するｎ個のコンポーネントタグを取得し、
上記第２の識別情報取得手段は、上記ＰＭＴを参照することで、上記ｎ個のコンポーネントタグに対応し、上記ｎ本の画像ストリームデータを上記多重化ストリームにおいて識別するｎ個のＰＩＤ（Ｐａｃｋｅｔ  Ｉｄｅｎｔｉｆｉｃａｔｉｏｎ）を取得し、
上記画像ストリームデータ抽出手段は、上記第２の識別情報取得手段で取得されたｎ個のＰＩＤに基づいて、上記多重化ストリームに多重化されたｎ本の画像ストリームデータをそれぞれ抽出すること
を特徴とする請求項１記載の受信装置。
【請求項３】
複数の編成チャンネルでそれぞれ提供される複数の画像ストリームデータが多重化された多重化ストリームを受信する受信装置の受信方法であって、
上記複数の編成チャンネルそれぞれにおいて、同時に出力表示可能な画像ストリームデータの最大本数ｎ（ｎは自然数）と、上記複数の編成チャンネルそれぞれにおいて、同時に出力表示可能なｎ本の画像ストリームデータを各編成チャンネル内でそれぞれ識別する第１の識別情報とが記述された編成チャンネル情報と、
上記複数の編成チャンネルそれぞれにおいて同時に出力表示可能なｎ本の画像ストリームデータを、上記多重化ストリームにおいてそれぞれ識別する第２の識別情報と、上記第１の識別情報とを関係づけるテーブルとが、それぞれ所定の周期で多重化された上記多重化ストリームを受信する受信工程と、
上記複数の編成チャンネルから所望の編成チャンネルを選択するチャンネル選択工程と、
上記受信工程で受信された上記多重化ストリームにそれぞれ所定の周期で多重化された上記編成チャンネル情報と、上記テーブルとを抽出する抽出工程と、
上記抽出工程で抽出された上記編成チャンネル情報を参照し、上記チャンネル選択工程で選択された編成チャンネルで同時に出力表示可能なｎ本の画像ストリームデータを識別するｎ個の第１の識別情報を取得する第１の識別情報取得工程と、
上記抽出工程で抽出された上記テーブルを参照し、上記第１の識別情報取得工程によって取得された上記ｎ個の第１の識別情報に対応するｎ個の第２の識別情報を取得する第２の識別情報取得工程と、
上記第２の識別情報取得工程によって取得された上記ｎ個の第２の識別情報に基づいて、上記多重化ストリームに多重化されたｎ本の画像ストリームデータをそれぞれ抽出する画像ストリームデータ抽出工程と、
上記画像ストリームデータ抽出工程によって抽出されたｎ本の画像ストリームデータをｎ個の復号手段でｎ個の画像データにそれぞれ復号する復号工程と、
上記復号工程によって復号されたｎ個の画像データのうちｍ（ｍはｍ≦ｎを満たす自然数）個の画像を同一画面上に出力表示するよう制御する制御工程とを備えること
を特徴とする受信方法。
【請求項４】
多重化された複数の画像ストリームデータを、多重化記録ストリームとして記録した記録媒体を再生する再生装置であって、
上記記録媒体に記録された多重化記録ストリームの任意の箇所の再生要求に応じて、上記記録媒体に記録された上記多重化記録ストリームを再生する再生手段と、
上記再生手段によって再生された多重化記録ストリームから、
同時に出力表示可能な画像ストリームデータの本数が一定である多重化記録ストリームの区間として定義されるプログラムシーケンスの上記多重化記録ストリームにおける開始アドレス情報と、当該プログラムシーケンス中で同時に出力表示可能なｎ本の画像ストリームデータを上記多重化記録ストリームにおいて識別するｎ個の識別情報とを記述したプログラムシーケンス管理情報と、
アクセスユニット毎に付与されるプレゼンテーションタイムスタンプと、対応するアクセスユニットの上記多重化記録ストリームにおけるアドレス情報とを関係づけたテーブルとを抽出する抽出手段と、
上記抽出手段によって抽出されたテーブルを参照し、再生要求された箇所に最も近いアクセスユニットのプレゼンテーションタイムスタンプから、上記多重化記録ストリームにおけるアドレス情報を取得するアドレス情報取得手段と、
上記抽出手段によって抽出されたプログラムシーケンス管理情報の開始アドレス情報を参照し、上記アドレス情報取得手段によって取得された上記多重化記録ストリームにおけるアドレス情報に最も近い、開始アドレス情報を有するプログラムシーケンスを検索する検索手段と、
上記検索手段で検索されたプログラムシーケンスのプログラムシーケンス管理情報から、当該プログラムシーケンス中で同時に出力表示可能なｎ本の画像ストリームデータを上記多重化記録ストリームにおいて識別するｎ個の識別情報を取得する識別情報取得手段と、
上記識別情報取得手段によって取得されたｎ個の識別情報に基づいて、上記再生手段によって再生された上記多重化記録ストリームからｎ本の画像ストリームデータをそれぞれ抽出する画像ストリームデータ抽出手段と、
上記画像ストリームデータ抽出手段によって抽出されたｎ本の画像ストリームデータをｎ個の画像データにそれぞれ復号するｎ個の復号手段と、
上記ｎ個の復号手段によって復号されたｎ個の画像データのうちｍ（ｍはｍ≦ｎを満たす自然数）個の画像を同一画面上に出力表示するよう制御する制御手段とを備えること
を特徴とする再生装置。
【請求項５】
上記テーブルはＥＰ（Ｅｎｔｒｙ  Ｐｏｉｎｔ）＿ｍａｐであること
を特徴とする請求項４記載の再生装置。
【請求項６】
多重化された複数の画像ストリームデータを多重化記録ストリームとして記録した記録媒体を再生する再生装置の再生方法であって、
上記記録媒体に記録された多重化記録ストリームの任意の箇所の再生要求に応じて、上記記録媒体に記録された上記多重化記録ストリームを再生する再生工程と、
上記再生工程によって再生された多重化記録ストリームから、
同時に出力表示可能な画像ストリームデータの本数が一定である多重化記録ストリームの区間として定義されるプログラムシーケンスの上記多重化記録ストリームにおける開始アドレス情報と、当該プログラムシーケンス中で同時に出力表示可能なｎ本の画像ストリームデータを上記多重化記録ストリームにおいて識別するｎ個の識別情報とを記述したプログラムシーケンス管理情報と、
アクセスユニット毎に付与されるプレゼンテーションタイムスタンプと、対応するアクセスユニットの上記多重化記録ストリームにおけるアドレス情報とを関係づけたテーブルとを抽出する抽出工程と、
上記抽出工程によって抽出されたテーブルを参照し、再生要求された箇所に最も近いアクセスユニットのプレゼンテーションタイムスタンプから、上記多重化記録ストリームにおけるアドレス情報を取得するアドレス情報取得工程と、
上記抽出工程によって抽出されたプログラムシーケンス管理情報の開始アドレス情報を参照し、上記アドレス情報取得工程によって取得された上記多重化記録ストリームにおけるアドレス情報に最も近い、開始アドレス情報を有するプログラムシーケンスを検索する検索工程と、
上記検索工程で検索されたプログラムシーケンスのプログラムシーケンス管理情報から、当該プログラムシーケンス中で同時に出力表示可能なｎ本の画像ストリームデータを上記多重化記録ストリームにおいて識別するｎ個の識別情報を取得する識別情報取得工程と、
上記識別情報取得工程によって取得されたｎ個の識別情報に基づいて、上記再生工程によって再生された上記多重化記録ストリームからｎ本の画像ストリームデータをそれぞれ抽出する画像ストリームデータ抽出工程と、
上記画像ストリームデータ抽出工程によって抽出されたｎ本の画像ストリームデータをｎ個の復号手段によってｎ個の画像データにそれぞれ復号する復号工程と、
上記復号工程で復号されたｎ個の画像データのうちｍ（ｍはｍ≦ｎを満たす自然数）個の画像を同一画面上に出力表示するよう制御する制御工程とを備えること
を特徴とする再生方法。
【請求項７】
複数の編成チャンネルでそれぞれ提供される複数の画像ストリームデータが多重化された多重化ストリームを受信する受信手段と、
上記複数の編成チャンネルから所望の編成チャンネルを選択するチャンネル選択手段と、
上記チャンネル選択手段で選択された編成チャンネルに多重化されたｎ（ｎは自然数）本の画像ストリームデータを多重化記録ストリームとして記録媒体に記録する記録手段と、
上記記録媒体に記録された多重化記録ストリームの任意の箇所の再生要求に応じて、上記記録媒体に記録された上記多重化記録ストリームを再生する再生手段と、
上記再生手段によって再生された多重化記録ストリームから、
同時に出力表示可能な画像ストリームデータの本数が一定である多重化記録ストリームの区間として定義されるプログラムシーケンスの上記多重化記録ストリームにおける開始アドレス情報と、当該プログラムシーケンス中で同時に出力表示可能なｎ本の画像ストリームデータを上記多重化記録ストリームにおいて識別するｎ個の識別情報とを記述したプログラムシーケンス管理情報と、
アクセスユニット毎に付与されるプレゼンテーションタイムスタンプと、対応するアクセスユニットの上記多重化記録ストリームにおけるアドレス情報とを関係づけたテーブルとを抽出する抽出手段と、
上記抽出手段によって抽出されたテーブルを参照し、再生要求された箇所に最も近いアクセスユニットのプレゼンテーションタイムスタンプから、上記多重化記録ストリームにおけるアドレス情報を取得するアドレス情報取得手段と、
上記抽出手段によって抽出されたプログラムシーケンス管理情報の開始アドレス情報を参照し、上記アドレス情報取得手段によって取得された上記多重化記録ストリームにおけるアドレス情報に最も近い、開始アドレス情報を有するプログラムシーケンスを検索する検索手段と、
上記検索手段で検索されたプログラムシーケンスのプログラムシーケンス管理情報から、当該プログラムシーケンス中で同時に出力表示可能なｎ本の画像ストリームデータを上記多重化記録ストリームにおいて識別するｎ個の識別情報を取得する識別情報取得手段と、
上記識別情報取得手段によって取得されたｎ個の識別情報に基づいて、上記再生手段によって再生された上記多重化記録ストリームからｎ本の画像ストリームデータをそれぞれ抽出する画像ストリームデータ抽出手段と、
上記画像ストリームデータ抽出手段によって抽出されたｎ本の画像ストリームデータをｎ個の画像データにそれぞれ復号するｎ個の復号手段と、
上記ｎ個の復号手段によって復号されたｎ個の画像データのうちｍ（ｍはｍ≦ｎを満たす自然数）個の画像を同一画面上に出力表示するよう制御する制御手段とを備えること
を特徴とする記録再生装置。
【請求項８】
上記テーブルはＥＰ（Ｅｎｔｒｙ  Ｐｏｉｎｔ）＿ｍａｐであること
を特徴とする請求項７記載の記録再生装置。
【請求項９】
複数の編成チャンネルでそれぞれ提供される複数の画像ストリームデータが多重化された多重化ストリームを受信する受信工程と、
上記複数の編成チャンネルから所望の編成チャンネルを選択するチャンネル選択工程と、
上記チャンネル選択工程で選択された編成チャンネルに多重化されたｎ（ｎは自然数）本の画像ストリームデータを多重化記録ストリームとして記録媒体に記録する記録工程と、
上記記録媒体に記録された多重化記録ストリームの任意の箇所の再生要求に応じて、上記記録媒体に記録された上記多重化記録ストリームを再生する再生工程と、
上記再生工程によって再生された多重化記録ストリームから、
同時に出力表示可能な画像ストリームデータの本数が一定である多重化記録ストリームの区間として定義されるプログラムシーケンスの上記多重化記録ストリームにおける開始アドレス情報と、当該プログラムシーケンス中で同時に出力表示可能なｎ本の画像ストリームデータを上記多重化記録ストリームにおいて識別するｎ個の識別情報とを記述したプログラムシーケンス管理情報と、
アクセスユニット毎に付与されるプレゼンテーションタイムスタンプと、対応するアクセスユニットの上記多重化記録ストリームにおけるアドレス情報とを関係づけたテーブルとを抽出する抽出工程と、
上記抽出工程によって抽出されたテーブルを参照し、再生要求された箇所に最も近いアクセスユニットのプレゼンテーションタイムスタンプから、上記多重化記録ストリームにおけるアドレス情報を取得するアドレス情報取得工程と、
上記抽出工程によって抽出されたプログラムシーケンス管理情報の開始アドレス情報を参照し、上記アドレス情報取得工程によって取得された上記多重化記録ストリームにおけるアドレス情報に最も近い、開始アドレス情報を有するプログラムシーケンスを検索する検索工程と、
上記検索工程で検索されたプログラムシーケンスのプログラムシーケンス管理情報から、当該プログラムシーケンス中で同時に出力表示可能なｎ本の画像ストリームデータを上記多重化記録ストリームにおいて識別するｎ個の識別情報を取得する識別情報取得工程と、
上記識別情報取得工程によって取得されたｎ個の識別情報に基づいて、上記再生工程によって再生された上記多重化記録ストリームからｎ本の画像ストリームデータをそれぞれ抽出する画像ストリームデータ抽出工程と、
上記画像ストリームデータ抽出工程によって抽出されたｎ本の画像ストリームデータをｎ個の復号手段によってｎ個の画像データにそれぞれ復号する復号工程と、
上記復号工程で復号されたｎ個の画像データのうちｍ（ｍはｍ≦ｎを満たす自然数）個の画像を同一画面上に出力表示するよう制御する制御手段とを備えること
を特徴とする記録再生方法。
【発明の詳細な説明】
【０００１】
【発明の属する技術分野】
本発明は、デジタルテレビジョン放送に関するものであり、詳しくは、マルチビュー放送、通常放送の切り替えを自動的に行う受信装置及び方法、再生装置及び方法、並びに記録再生装置及び方法に関する。
【０００２】
【従来の技術】
高品質な番組の提供、多チャンネルによる番組の提供といった特徴を備えた放送サービスを可能とするデジタル放送サービスは、放送衛星（ＢＳ：Ｂｒｏａｄｃａｓｔｉｎｇ  Ｓａｔｅｌｌｉｔｅ）、通信衛星（ＣＳ：Ｃｏｍｍｕｎｉｃａｔｉｏｎｓ  Ｓａｔｅｌｌｉｔｅ）を介した放送として実現されている。
【０００３】
デジタル放送サービスでは、デジタルハイビジョン放送（ＨＤＴＶ：Ｈｉｇｈ  Ｄｅｆｉｎｉｔｉｏｎ  Ｔｅｌｅｖｉｓｉｏｎ）がサービスの中心となっているが、例えば、ＢＳデジタル放送サービスにおいては、デジタルハイビジョン放送を行わない時間帯には、マルチビュー放送、マルチチャンネル放送と呼ばれる標準テレビジョン放送（ＳＤＴＶ：Ｓｔａｎｄａｒｄ  Ｄｅｆｉｎｉｔｉｏｎ  Ｔｅｌｅｖｉｓｉｏｎ）を提供するマルチ放送サービスを行うことが考案されている。
【０００４】
マルチビュー放送は、図１１に示すように、デジタルハイビジョン放送を３つのチャンネル、例えば、主番組、副番組１、副番組２というように分割し、１番組内で関連する内容を従来の標準テレビジョン放送（ＳＤＴＶ：Ｓｔａｎｄａｒｄ  Ｄｅｆｉｎｉｔｉｏｎ  Ｔｅｌｅｖｉｓｉｏｎ）で同時に放送するというサービスである。マルチビュー放送を受信すると、例えば、スポーツ番組や、劇場中継などにおいて、同一番組中での３つのカメラアングルからの映像を同時に視聴したり、好みのアングルからの映像のみを視聴したりできる。マルチビュー放送を視聴するには、マルチビュー放送を受信する受信装置で受信した全てのデジタル標準テレビジョン放送をデコード処理する必要がある。
【０００５】
このように、デジタル放送サービスでは、１つの編成チャンネル内に複数の映像を供給するマルチビュー放送を実現することができる。
【０００６】
【発明が解決しようとする課題】
上述したようなマルチビュー放送を、例えば、ＢＳデジタル受信機で受信すると、テレビジョン受像機の画面上に、複数の映像を表示させることが可能となる。
【０００７】
しかし、送信局から提供される放送が、マルチビュー放送ではない通常放送からマルチビュー放送へと変化した場合、画面表示形態を１画面表示からマルチビュー表示へと切り替えるよう指示するコマンドを入力しない限り、テレビジョン受像機の画面上には１つの映像だけが表示されたままとなる。
【０００８】
また、マルチビュー放送から通常放送へと変化する逆の場合も同様に、ユーザがコマンド入力をしない限り画面上の映像は、マルチビュー表示を維持した状態となっている。
【０００９】
したがって、通常放送からマルチビュー放送、又はマルチビュー放送から通常放送へと変化した場合、ユーザは、わざわざ、受信機の本体操作キーや、受信機を遠隔操作するリモートコントローラなどで画面表示形態の切り替えを指示するコマンドを入力しなくてはならず、番組視聴中であるにもかかわらず煩雑な操作をしなくてはならないといった問題がある。
【００１０】
そこで、本発明は、選択した編成チャンネルで提供されている放送サービスが、マルチビュー放送であるのか、通常放送であるのかを検出し、それぞれの放送サービスに適した画面表示形態に自動的に切り替える受信装置及び方法、マルチビュー放送、通常放送として提供された番組を記録した記録媒体を再生した場合に、マルチビュー放送された番組であるのか、通常放送された番組であるのかを検出し、それぞれの放送サービスに適した画面表示形態に自動的に切り替える再生装置及び方法、並びに記録再生装置及び方法を提供することを目的とする。
【００１１】
【課題を解決するための手段】
上述の目的を達成するために、本発明に係る受信装置は、複数の編成チャンネルでそれぞれ提供される複数の画像ストリームデータが多重化された多重化ストリームを受信する受信装置であって、上記複数の編成チャンネルそれぞれにおいて、同時に出力表示可能な画像ストリームデータの最大本数ｎ（ｎは自然数）と、上記複数の編成チャンネルそれぞれにおいて、同時に出力表示可能なｎ本の画像ストリームデータを各編成チャンネル内でそれぞれ識別する第１の識別情報とが記述された編成チャンネル情報と、上記複数の編成チャンネルそれぞれにおいて同時に出力表示可能なｎ本の画像ストリームデータを、上記多重化ストリームにおいてそれぞれ識別する第２の識別情報と、上記第１の識別情報とを関係づけるテーブルとが、それぞれ所定の周期で多重化された上記多重化ストリームを受信する受信手段と、上記複数の編成チャンネルから所望の編成チャンネルを選択するチャンネル選択手段と、上記受信手段で受信された上記多重化ストリームにそれぞれ所定の周期で多重化された上記編成チャンネル情報と、上記テーブルとを抽出する抽出手段と、上記抽出手段で抽出された上記編成チャンネル情報を参照し、上記チャンネル選択手段で選択された編成チャンネルで同時に出力表示可能なｎ本の画像ストリームデータを識別するｎ個の第１の識別情報を取得する第１の識別情報取得手段と、上記抽出手段で抽出された上記テーブルを参照し、上記第１の識別情報取得手段によって取得された上記ｎ個の第１の識別情報に対応するｎ個の第２の識別情報を取得する第２の識別情報取得手段と、上記第２の識別情報取得手段によって取得された上記ｎ個の第２の識別情報に基づいて、上記多重化ストリームに多重化されたｎ本の画像ストリームデータをそれぞれ抽出する画像ストリームデータ抽出手段と、上記画像ストリームデータ抽出手段によって抽出されたｎ本の画像ストリームデータをｎ個の画像データにそれぞれ復号するｎ個の復号手段と、上記ｎ個の復号手段によって復号されたｎ個の画像データのうちｍ（ｍはｍ≦ｎを満たす自然数）個の画像を同一画面上に出力表示するよう制御する制御手段とを備えることを特徴とする。
【００１２】
上述の目的を達成するために、本発明に係る受信方法は、複数の編成チャンネルでそれぞれ提供される複数の画像ストリームデータが多重化された多重化ストリームを受信する受信装置の受信方法であって、上記複数の編成チャンネルそれぞれにおいて、同時に出力表示可能な画像ストリームデータの最大本数ｎ（ｎは自然数）と、上記複数の編成チャンネルそれぞれにおいて、同時に出力表示可能なｎ本の画像ストリームデータを各編成チャンネル内でそれぞれ識別する第１の識別情報とが記述された編成チャンネル情報と、上記複数の編成チャンネルそれぞれにおいて同時に出力表示可能なｎ本の画像ストリームデータを、上記多重化ストリームにおいてそれぞれ識別する第２の識別情報と、上記第１の識別情報とを関係づけるテーブルとが、それぞれ所定の周期で多重化された上記多重化ストリームを受信する受信工程と、上記複数の編成チャンネルから所望の編成チャンネルを選択するチャンネル選択工程と、上記受信工程で受信された上記多重化ストリームにそれぞれ所定の周期で多重化された上記編成チャンネル情報と、上記テーブルとを抽出する抽出工程と、上記抽出工程で抽出された上記編成チャンネル情報を参照し、上記チャンネル選択工程で選択された編成チャンネルで同時に出力表示可能なｎ本の画像ストリームデータを識別するｎ個の第１の識別情報を取得する第１の識別情報取得工程と、上記抽出工程で抽出された上記テーブルを参照し、上記第１の識別情報取得工程によって取得された上記ｎ個の第１の識別情報に対応するｎ個の第２の識別情報を取得する第２の識別情報取得工程と、上記第２の識別情報取得工程によって取得された上記ｎ個の第２の識別情報に基づいて、上記多重化ストリームに多重化されたｎ本の画像ストリームデータをそれぞれ抽出する画像ストリームデータ抽出工程と、上記画像ストリームデータ抽出工程によって抽出されたｎ本の画像ストリームデータをｎ個の復号手段でｎ個の画像データにそれぞれ復号する復号工程と、上記復号工程によって復号されたｎ個の画像データのうちｍ（ｍはｍ≦ｎを満たす自然数）個の画像を同一画面上に出力表示するよう制御する制御工程とを備えることを特徴とする。
【００１３】
上述の目的を達成するために、本発明に係る再生装置は、多重化された複数の画像ストリームデータを、多重化記録ストリームとして記録した記録媒体を再生する再生装置であって、上記記録媒体に記録された多重化記録ストリームの任意の箇所の再生要求に応じて、上記記録媒体に記録された上記多重化記録ストリームを再生する再生手段と、上記再生手段によって再生された多重化記録ストリームから、同時に出力表示可能な画像ストリームデータの本数が一定である多重化記録ストリームの区間として定義されるプログラムシーケンスの上記多重化記録ストリームにおける開始アドレス情報と、当該プログラムシーケンス中で同時に出力表示可能なｎ本の画像ストリームデータを上記多重化記録ストリームにおいて識別するｎ個の識別情報とを記述したプログラムシーケンス管理情報と、アクセスユニット毎に付与されるプレゼンテーションタイムスタンプと、対応するアクセスユニットの上記多重化記録ストリームにおけるアドレス情報とを関係づけたテーブルとを抽出する抽出手段と、上記抽出手段によって抽出されたテーブルを参照し、再生要求された箇所に最も近いアクセスユニットのプレゼンテーションタイムスタンプから、上記多重化記録ストリームにおけるアドレス情報を取得するアドレス情報取得手段と、上記抽出手段によって抽出されたプログラムシーケンス管理情報の開始アドレス情報を参照し、上記アドレス情報取得手段によって取得された上記多重化記録ストリームにおけるアドレス情報に最も近い、開始アドレス情報を有するプログラムシーケンスを検索する検索手段と、上記検索手段で検索されたプログラムシーケンスのプログラムシーケンス管理情報から、当該プログラムシーケンス中で同時に出力表示可能なｎ本の画像ストリームデータを上記多重化記録ストリームにおいて識別するｎ個の識別情報を取得する識別情報取得手段と、上記識別情報取得手段によって取得されたｎ個の識別情報に基づいて、上記再生手段によって再生された上記多重化記録ストリームからｎ本の画像ストリームデータをそれぞれ抽出する画像ストリームデータ抽出手段と、上記画像ストリームデータ抽出手段によって抽出されたｎ本の画像ストリームデータをｎ個の画像データにそれぞれ復号するｎ個の復号手段と、上記ｎ個の復号手段によって復号されたｎ個の画像データのうちｍ（ｍはｍ≦ｎを満たす自然数）個の画像を同一画面上に出力表示するよう制御する制御手段とを備えることを特徴とする。
【００１４】
上述の目的を達成するために、本発明に係る再生方法は、多重化された複数の画像ストリームデータを多重化記録ストリームとして記録した記録媒体を再生する再生装置の再生方法であって、上記記録媒体に記録された多重化記録ストリームの任意の箇所の再生要求に応じて、上記記録媒体に記録された上記多重化記録ストリームを再生する再生工程と、上記再生工程によって再生された多重化記録ストリームから、同時に出力表示可能な画像ストリームデータの本数が一定である多重化記録ストリームの区間として定義されるプログラムシーケンスの上記多重化記録ストリームにおける開始アドレス情報と、当該プログラムシーケンス中で同時に出力表示可能なｎ本の画像ストリームデータを上記多重化記録ストリームにおいて識別するｎ個の識別情報とを記述したプログラムシーケンス管理情報と、アクセスユニット毎に付与されるプレゼンテーションタイムスタンプと、対応するアクセスユニットの上記多重化記録ストリームにおけるアドレス情報とを関係づけたテーブルとを抽出する抽出工程と、上記抽出工程によって抽出されたテーブルを参照し、再生要求された箇所に最も近いアクセスユニットのプレゼンテーションタイムスタンプから、上記多重化記録ストリームにおけるアドレス情報を取得するアドレス情報取得工程と、上記抽出工程によって抽出されたプログラムシーケンス管理情報の開始アドレス情報を参照し、上記アドレス情報取得工程によって取得された上記多重化記録ストリームにおけるアドレス情報に最も近い、開始アドレス情報を有するプログラムシーケンスを検索する検索工程と、上記検索工程で検索されたプログラムシーケンスのプログラムシーケンス管理情報から、当該プログラムシーケンス中で同時に出力表示可能なｎ本の画像ストリームデータを上記多重化記録ストリームにおいて識別するｎ個の識別情報を取得する識別情報取得工程と、上記識別情報取得工程によって取得されたｎ個の識別情報に基づいて、上記再生工程によって再生された上記多重化記録ストリームからｎ本の画像ストリームデータをそれぞれ抽出する画像ストリームデータ抽出工程と、上記画像ストリームデータ抽出工程によって抽出されたｎ本の画像ストリームデータをｎ個の復号手段によってｎ個の画像データにそれぞれ復号する復号工程と、上記復号工程で復号されたｎ個の画像データのうちｍ（ｍはｍ≦ｎを満たす自然数）個の画像を同一画面上に出力表示するよう制御する制御工程とを備えることを特徴とする。
【００１５】
上述の目的を達成するために、本発明に係る記録再生装置は、複数の編成チャンネルでそれぞれ提供される複数の画像ストリームデータが多重化された多重化ストリームを受信する受信手段と、上記複数の編成チャンネルから所望の編成チャンネルを選択するチャンネル選択手段と、上記チャンネル選択手段で選択された編成チャンネルに多重化されたｎ（ｎは自然数）本の画像ストリームデータを多重化記録ストリームとして記録媒体に記録する記録手段と、上記記録媒体に記録された多重化記録ストリームの任意の箇所の再生要求に応じて、上記記録媒体に記録された上記多重化記録ストリームを再生する再生手段と、上記再生手段によって再生された多重化記録ストリームから、同時に出力表示可能な画像ストリームデータの本数が一定である多重化記録ストリームの区間として定義されるプログラムシーケンスの上記多重化記録ストリームにおける開始アドレス情報と、当該プログラムシーケンス中で同時に出力表示可能なｎ本の画像ストリームデータを上記多重化記録ストリームにおいて識別するｎ個の識別情報とを記述したプログラムシーケンス管理情報と、アクセスユニット毎に付与されるプレゼンテーションタイムスタンプと、対応するアクセスユニットの上記多重化記録ストリームにおけるアドレス情報とを関係づけたテーブルとを抽出する抽出手段と、上記抽出手段によって抽出されたテーブルを参照し、再生要求された箇所に最も近いアクセスユニットのプレゼンテーションタイムスタンプから、上記多重化記録ストリームにおけるアドレス情報を取得するアドレス情報取得手段と、上記抽出手段によって抽出されたプログラムシーケンス管理情報の開始アドレス情報を参照し、上記アドレス情報取得手段によって取得された上記多重化記録ストリームにおけるアドレス情報に最も近い、開始アドレス情報を有するプログラムシーケンスを検索する検索手段と、上記検索手段で検索されたプログラムシーケンスのプログラムシーケンス管理情報から、当該プログラムシーケンス中で同時に出力表示可能なｎ本の画像ストリームデータを上記多重化記録ストリームにおいて識別するｎ個の識別情報を取得する識別情報取得手段と、上記識別情報取得手段によって取得されたｎ個の識別情報に基づいて、上記再生手段によって再生された上記多重化記録ストリームからｎ本の画像ストリームデータをそれぞれ抽出する画像ストリームデータ抽出手段と、上記画像ストリームデータ抽出手段によって抽出されたｎ本の画像ストリームデータをｎ個の画像データにそれぞれ復号するｎ個の復号手段と、上記ｎ個の復号手段によって復号されたｎ個の画像データのうちｍ（ｍはｍ≦ｎを満たす自然数）個の画像を同一画面上に出力表示するよう制御する制御手段とを備えることを特徴とする。
【００１６】
上述の目的を達成するために、本発明に係る記録再生方法は、複数の編成チャンネルでそれぞれ提供される複数の画像ストリームデータが多重化された多重化ストリームを受信する受信工程と、上記複数の編成チャンネルから所望の編成チャンネルを選択するチャンネル選択工程と、上記チャンネル選択工程で選択された編成チャンネルに多重化されたｎ（ｎは自然数）本の画像ストリームデータを多重化記録ストリームとして記録媒体に記録する記録工程と、上記記録媒体に記録された多重化記録ストリームの任意の箇所の再生要求に応じて、上記記録媒体に記録された上記多重化記録ストリームを再生する再生工程と、上記再生工程によって再生された多重化記録ストリームから、同時に出力表示可能な画像ストリームデータの本数が一定である多重化記録ストリームの区間として定義されるプログラムシーケンスの上記多重化記録ストリームにおける開始アドレス情報と、当該プログラムシーケンス中で同時に出力表示可能なｎ本の画像ストリームデータを上記多重化記録ストリームにおいて識別するｎ個の識別情報とを記述したプログラムシーケンス管理情報と、アクセスユニット毎に付与されるプレゼンテーションタイムスタンプと、対応するアクセスユニットの上記多重化記録ストリームにおけるアドレス情報とを関係づけたテーブルとを抽出する抽出工程と、上記抽出工程によって抽出されたテーブルを参照し、再生要求された箇所に最も近いアクセスユニットのプレゼンテーションタイムスタンプから、上記多重化記録ストリームにおけるアドレス情報を取得するアドレス情報取得工程と、上記抽出工程によって抽出されたプログラムシーケンス管理情報の開始アドレス情報を参照し、上記アドレス情報取得工程によって取得された上記多重化記録ストリームにおけるアドレス情報に最も近い、開始アドレス情報を有するプログラムシーケンスを検索する検索工程と、上記検索工程で検索されたプログラムシーケンスのプログラムシーケンス管理情報から、当該プログラムシーケンス中で同時に出力表示可能なｎ本の画像ストリームデータを上記多重化記録ストリームにおいて識別するｎ個の識別情報を取得する識別情報取得工程と、上記識別情報取得工程によって取得されたｎ個の識別情報に基づいて、上記再生工程によって再生された上記多重化記録ストリームからｎ本の画像ストリームデータをそれぞれ抽出する画像ストリームデータ抽出工程と、上記画像ストリームデータ抽出工程によって抽出されたｎ本の画像ストリームデータをｎ個の復号手段によってｎ個の画像データにそれぞれ復号する復号工程と、上記復号工程で復号されたｎ個の画像データのうちｍ（ｍはｍ≦ｎを満たす自然数）個の画像を同一画面上に出力表示するよう制御する制御手段とを備えることを特徴とする。
【００１７】
【発明の実施の形態】
以下、本発明に係る受信装置及び方法、再生装置及び方法、並びに記録再生装置及び方法の実施の形態を図面を参照にして詳細に説明する。
【００１８】
本発明は、図１に外観を示す記録再生装置１００に適用される。図１に示すように記録再生装置１００は、テレビジョン受像機２００と接続されている。
【００１９】
テレビジョン受像機２００は、地上波を受信可能な地上波チューナー、ＢＳ（Ｂｒｏａｄｃａｓｔｉｎｇ  Ｓａｔｅｌｌｉｔｅ）チューナー、ＢＳデジタルチューナー、ＣＳ（Ｃｏｍｍｕｎｉｃａｔｉｏｎｓ  Ｓａｔｅｌｌｉｔｅ）チューナー、ＣＳデジタルチューナーを内蔵していてもよい。
【００２０】
また、記録再生装置１００の各種機能は、リモートコントローラ３００によって遠隔操作可能である。また、このリモートコントローラ３００は、テレビジョン受像機２００の各種機能も、遠隔操作可能である。
【００２１】
本発明を適用した記録再生装置１００は、記録媒体にデジタルハイビジョン放送を圧縮なしで、映像信号、音声信号、各種データを記録することが可能な記録再生装置である。また記録再生装置１００は、後述するようにデジタルチューナーを内蔵しており、例えば、ＢＳデジタル放送で提供されるデジタルハイビジョン放送を受信し、受信したデジタルハイビジョン放送を上述したように記録媒体に記録することができる。
【００２２】
図２を用いて、記録再生装置１００の要部構成について説明をする。記録再生装置１００は、地上波チューナー１と、入力切替回路２と、ＹＣ分離回路３と、入力切替回路４と、ＮＴＳＣ（Ｎａｔｉｏｎａｌ  Ｔｅｌｅｖｉｓｉｏｎ  Ｓｙｓｔｅｍ  Ｓｔａｎｄａｒｄ  Ｃｏｍｍｉｔｔｅｅ）デコーダ５と、同期制御回路６と、プリ映像信号処理回路７と、ＭＰＥＧ（Ｍｏｖｉｎｇ  Ｐｉｃｔｕｒｅ  Ｅｘｐｅｒｔｓ  Ｇｒｏｕｐ）ビデオエンコーダ８と、音声Ａ／Ｄ変換器９と、ＭＰＥＧオーディオエンコーダ１０と、デジタルチューナー１１、多重／分離回路（ＭＵＸ／ＤＭＸ）１２と、記録／再生処理部１３と、ホストＣＰＵ１４と、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）１５と、ＲＯＭ（Ｒｅａｄ  Ｏｎｌｙ  Ｍｅｍｏｒｙ）１６と、ＭＰＥＧビデオデコーダ１７ａ，１７ｂ，１７ｃと、ビデオミキサー１７ｄと、ポスト映像信号処理回路１８と、ＯＳＤ（Ｏｎ  Ｓｃｒｅｅｎ  Ｄｉｓｐｌａｙ）１９と、ＮＴＳＣエンコーダ２０と、ＭＰＥＧオーディオデコーダ２１と、切替回路２２と、音声Ｄ／Ａ変換器２３と、デジタルＩＮ／ＯＵＴ２４、デジタルインターフェース回路２５と、地上波ＥＰＧ用チューナー２６と、データスライサ２７と、ＳＴＣ（Ｓｙｓｔｅｍ  Ｔｉｍｅ  Ｃｌｏｃｋ）再生部２８と、入力インターフェース２９とを備える。
【００２３】
地上波チューナー１は、地上波放送を受信し、受信した放送のコンポジット映像信号と音声信号を入力切替回路２に供給する。
【００２４】
入力切替回路２は、地上波チューナー１からコンポジット映像信号と音声信号が供給され、外部装置からコンポジット映像信号と音声信号が供給される。入力切替回路２は、ホストＣＰＵ１４からの指示に従い、地上波チューナー１から供給されるコンポジット映像信号と音声信号、又は、外部装置から供給されるコンポジット映像信号と音声信号のどちらかを選択する。入力切替回路２は、選択したコンポジット映像信号をＹＣ分離回路３に、音声信号を音声Ａ／Ｄ変換器９にそれぞれ出力する。
【００２５】
ＹＣ分離回路３は、入力切替回路２から入力されたコンポジット映像信号をＹＣ分離し、入力切替回路４に供給する。
【００２６】
入力切替回路４は、ホストＣＰＵ１４からの指示に従い、外部Ｓ映像入力、又は、ＹＣ分離回路３からの出力を選択し、選択した信号をＮＴＳＣデコーダ５に供給する。
【００２７】
ＮＴＳＣデコーダ５は、入力された映像信号にＡ／Ｄ変換、クロマエンコードの処理を施し、デジタルコンポーネントビデオ信号（以下、画像データという）に変換して、プリ映像信号処理回路７に供給する。また、ＮＴＳＣデコーダ５は、入力映像信号の水平同期信号を基準に生成したクロックと、同期分離して得た水平同期信号、垂直同期信号、フィールド判別信号を同期制御回路６に供給する。
【００２８】
同期制御回路６では、水平同期信号、垂直同期信号、フィールド判別信号を基準とし、後述する各ブロックに必要なタイミングに変換したクロック、同期信号を生成し、記録再生装置１００を構成する各ブロックに供給する。
【００２９】
プリ映像信号処理回路７では、ＮＴＳＣデコーダ５から供給された画像データにプリフィルター等の各種映像信号処理を施し、ＭＰＥＧビデオエンコーダ８と、ポスト映像信号処理回路１８に供給する。
【００３０】
ＭＰＥＧビデオエンコーダ８は、プリ映像信号処理回路７から供給された画像データにブロックＤＣＴ（Ｄｉｓｃｒｅｔｅ  Ｃｏｓｉｎｅ  Ｔｒａｎｓｆｏｒｍ：離散コサイン変換）等の符号化処理を施し、画像のＥＳ（Ｅｌｅｍｅｎｔａｒｙ  Ｓｔｒｅａｍ）を生成し、多重／分離回路１２に供給する。なお、本実施例では圧縮方式としてＭＰＥＧを採用しているが、他の圧縮方式でも、非圧縮でも構わない。
【００３１】
音声Ａ／Ｄ変換器９は、入力切替回路２で選択された音声信号をデジタル音声信号に変換し、ＭＰＥＧオーディオエンコーダ１０に供給する。
【００３２】
ＭＰＥＧオーディオエンコーダ１０は、供給されたデジタル音声信号をＭＰＥＧフォーマットに従い圧縮した後、音声のＥＳを生成し、映像信号同様に、多重／分離回路１２に供給する。なお、本実施例では圧縮方式としてＭＰＥＧを採用しているが、他の圧縮方式でも、非圧縮でも構わない。
【００３３】
デジタルチューナー１１は、ＢＳデジタル放送、ＣＳデジタル放送、地上波デジタル放送を受信する受信機である。ＢＳデジタル放送は、デジタルハイビジョン放送を中心としたサービスであるが、標準テレビジョン放送も提供している。
【００３４】
例えば、ＢＳデジタル放送は、デジタルハイビジョン放送を３つのチャンネルに分割して１番組内で関連している内容を標準テレビジョン放送で同時に放送するマルチビュー放送を提供しているものとする。
【００３５】
ここで、ＢＳデジタル放送で採用しているデジタル放送の伝送方式の１つであるＭＰＥＧ２トランスポートストリーム（以下、ＴＳとも呼ぶ。）について説明をする。ＴＳとは、ＭＰＥＧ２方式で圧縮符号化された映像信号や音声信号、データなどのコンテンツを１つのストリームとしてまとめて伝送するために定められた規格である。
【００３６】
ＴＳは、１８８バイトの固定長のトランスポート・パケット（以下、ＴＳパケットとも呼ぶ。）を多重伝送することで番組の多重編成（ＨＤＴＶ放送１チャンネルやＳＤＴＶ複数チャンネルの放送）や番組内の編成（ＨＤＴＶ放送１チャンネル＋データ放送１チャンネルやＳＤＴＶ放送２チャンネル＋データ放送３チャンネル）を変更したり、衛星や地上波の放送から特定のチャンネルを抜き出し新たなチャンネルを多重してケーブルＴＶで再配信したりすることを劣化なく柔軟に実現できる。
【００３７】
ＴＳで多重化される１８８バイトの固定長のＴＳパケットは、図３に示すように４バイトのパケットヘッダ領域（ＴＳヘッダ）と、１８４バイトのペイロード領域（ＴＳペイロード）とを備えている。
【００３８】
ＴＳパケットのパケットヘッダ領域には、パケットの先頭を示す同期バイトや、当該ＴＳパケットの個別のストリームの属性を示すＩＤ番号であるＰＩＤ（Ｐａｃｋｅｔ  Ｉｄｅｎｔｉｆｉｃａｔｉｏｎ）といったパケットの性質を規定する情報が記述されている。
【００３９】
パケットヘッダに続く、ペイロード領域には、映像ＰＥＳ（Ｐａｃｋｅｔｉｚｅｄ  Ｅｌｅｍｅｎｔａｒｙ  Ｓｔｒｅａｍ）や、音声ＰＥＳ、また、セクションデータが記述される。
【００４０】
映像ＰＥＳ、音声ＰＥＳは、映像信号、音声信号をそれぞれエンコードして生成される映像ＥＳ（Ｅｌｅｍｅｎｔａｒｙ  Ｓｔｒｅａｍ）、音声ＥＳを分割し、ＰＥＳヘッダを付加したパケットである。映像ＰＥＳ、音声ＰＥＳといったＰＥＳパケットのＰＥＳヘッダには、再生出力の時刻管理情報であるＰＴＳ（Ｐｒｅｓｅｎｔａｔｉｏｎ  Ｔｉｍｅ  Ｓｔａｍｐ）や、復号の時刻管理情報であるＤＴＳ（Ｄｅｃｏｄｉｎｇ  Ｔｉｍｅ  Ｓｔａｍｐ）が記述されている。
【００４１】
ＴＳパケットのペイロード領域に記述されるセクションデータには、放送網の構成情報を表すＰＳＩ（Ｐｒｏｇｒａｍ  Ｓｐｅｃｉｆｉｃ  Ｉｎｆｏｒｍａｔｉｏｎ）と、番組配列情報であるＳＩ（Ｓｅｒｖｉｃｅ  Ｉｎｆｏｒｍａｔｉｏｎ）とがある。
【００４２】
ＰＳＩ（Ｐｒｏｇｒａｍ  Ｓｐｅｃｉｆｉｃ  Ｉｎｆｏｒｍａｔｉｏｎ）は、多数の映像データ、音声データを多重化して伝送するＴＳにおいて、複数の編成チャンネルの中からどの編成チャンネルを選択し、どのパケットを取り出して、どのように復号すればよいかなどの情報を保持している。
【００４３】
ＰＳＩには、１本のＴＳに収容されている全編成チャンネルに関する総合的な情報を保持するＰＡＴ（Ｐｒｏｇｒａｍ  Ａｓｓｏｃｉａｔｉｏｎ  Ｔａｂｌｅ）と、ＴＳに収容されている各編成チャンネルそれぞれに関する情報を保持するＰＭＴ（Ｐｒｏｇｒａｍ  Ｍａｐｐｅｄ  Ｔａｂｌｅ）と、ネットワーク内のサービスリストと伝送路パラメータを示すＮＩＴ（Ｎｅｔｗｏｒｋ  Ｉｎｆｏｒｍａｔｉｏｎ  Ｔａｂｌｅ）と、有料放送の契約情報のＰＩＤを示すＣＡＴ（Ｃｏｎｄｉｔｉｏｎａｌ  Ａｃｃｅｓｓ  Ｔａｂｌｅ）とがある。
【００４４】
ＰＡＴは、ＰＩＤが”０ｘ００００”のＴＳパケットに記述されており、各編成チャンネル毎に用意され、編成チャンネルに関する情報を管理しているＰＭＴのＰＩＤを全て保持している。
【００４５】
ＰＭＴは、当該編成チャンネルで伝送する映像ＰＥＳが格納されているＴＳパケットのＰＩＤと、当該編成チャンネルで伝送する音声ＰＥＳが格納されているＴＳパケットのＰＩＤと、当該編成チャンネルのクロック情報であるＰＣＲ（Ｐｒｏｇｒａｍ  Ｃｌｏｃｋ  Ｒｅｆｅｒｅｎｃｅ）が格納されているＴＳパケットのＰＩＤとを管理している。また、ＰＭＴは、映像ＥＳ、音声ＥＳといった後述するコンポーネントストリームを識別するコンポーネントタグ（Ｃｏｍｐｏｎｅｎｔ  Ｔａｇ）と、上記ＰＩＤとを関係付けたコンポーネントタグテーブルを保持している。
【００４６】
ＳＩは、番組選択の利便性のためにＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓ）によって規定された情報であり、例えば、編成チャンネルのチャンネル名や、個々の番組のタイトル及び開始時刻／継続時間、番組の内容、進行状態など様々な情報を提供することができる。番組選択の手段としてユーザに提供される電子番組案内（ＥＰＧ：  Ｅｌｅｃｔｒｏｎｉｃ  Ｐｒｏｇｒａｍ  Ｇｕｉｄｅ）は、当該ＳＩで与えられる情報に基づいて受信機側で構築される。具体的にＳＩは、提供する情報毎に定義されたテーブルと、記述子（ｄｅｓｃｒｉｐｔｏｒ）によって構築されている。
【００４７】
例えば、ＳＩとして定義されたテーブルに、ＥＩＴ（Ｅｖｅｎｔ  Ｉｎｆｏｒｍａｔｉｏｎ  Ｔａｂｌｅ）がある。ＥＩＴは、ＰＩＤが“０ｘ００１２”のＴＳパケットに記述されており、数秒に１回程度の時間間隔でＴＳに多重化されている。ＥＩＴには、各編成チャンネル中において、開始時刻及び終了時刻を定めることによってイベントとして定義される、例えば、ニュース、ドラマといった所謂、番組のタイトル、放送日時、番組内容など、番組に関する情報が記載される。
【００４８】
ＴＳに多重化されたＥＩＴには、イベント内のコンポーネントの組み合わせを定義するコンポーネントグループ情報がコンポーネントグループ記述子（Ｃｏｍｐｏｎｅｎｔ  Ｇｒｏｕｐ  Ｄｅｓｃｒｉｐｔｏｒ）によって記載される。コンポーネントとは、映像、音声、文字、各種データなどイベントを構成する要素であり、コンポーネントグループとは、例えば、１つの映像ＥＳと、この映像ＥＳに対応する音声ＥＳといったような、コンポーネントの組み合わせによってまとめられたグループである。ＥＩＴに記載されるコンポーネントグループ情報を参照することで、マルチビュー放送であるかどうか、マルチビュー放送であった場合のビューの数、各ビューで提供する映像ＥＳ、音声ＥＳなどについての情報を取得することができる。
【００４９】
続いて、上述したコンポーネントグループ情報を記載するコンポーネントグループ記述子のうち、マルチビュー放送に関連したコンポーネントグループ記述子について図４を用いて具体的に説明をする。
【００５０】
まず、ｃｏｍｐｏｎｅｎｔ＿ｇｒｏｕｐ＿ｔｙｐｅという記述子によって、マルチビュー放送であるかどうかを知ることができる。選択した編成チャンネルがマルチビュー放送である場合、ｃｏｍｐｏｎｅｎｔ＿ｇｒｏｕｐ＿ｔｙｐｅ＝“０００”と定義されている。次に、ｎｕｍ＿ｏｆ＿ｇｒｏｕｐという記述子によってイベント内でのコンポーネントグループの数を知ることができる。したがって、ｎｕｍ＿ｏｆ＿ｇｒｏｕｐを参照することでマルチビュー放送におけるビューの数が分かる。例えば、ｎｕｍ＿ｏｆ＿ｇｒｏｕｐ＝“３”である場合は、編成チャンネル内にコンポーネントグループが３つあり、マルチビュー放送のビューの数も３つであることが分かる。上述したｃｏｍｐｏｎｅｎｔ＿ｇｒｏｕｐ＿ｔｙｐｅや、ｎｕｍ＿ｏｆ＿ｇｒｏｕｐは、コンポーネントグループ情報全体について記述するための記述子である。続いて、各コンポーネントグループについて記述するためのコンポーネントグループ記述子について説明をする。
【００５１】
マルチビュー放送の場合には、コンポーネントグループが複数、存在することになるため、それぞれのコンポーネントグループを識別する必要がある。各コンポーネントグループを識別するための記述子としてｃｏｍｐｏｎｅｎｔ＿ｇｒｏｕｐ＿ｉｄがある。ｃｏｍｐｏｎｅｎｔ＿ｇｒｏｕｐ＿ｉｄは、コンポーネントグループに対して“０ｘ０”〜“０ｘＦ”で割り当てられ、マルチビュー放送におけるメインビューに対応するメインのコンポーネントグループには、ｃｏｍｐｏｎｅｎｔ＿ｇｒｏｕｐ＿ｉｄ＝“０ｘ０”がアサインされる。
【００５２】
コンポーネントグループにグルーピングされる映像ＥＳ、音声ＥＳは、コンポーネントタグ（ｃｏｍｐｏｎｅｎｔ＿ｔａｇ）という記述子によって識別される。映像ＥＳには、コンポーネントタグ値として“０ｘ００”〜“０ｘ０Ｆ”が与えられ、音声ＥＳには、コンポーネントタグ値として“０ｘ１０〜”０ｘ２Ｆ“が与えられる。コンポーネントグループとしてグルーピングされる映像ＥＳ、音声ＥＳは、それぞれ１つに限定されず、複数のストリームであってもよい。
【００５３】
コンポーネントグループ毎のデフォルトＥＳは、各コンポーネントグループに記載されているコンポーネントタグの中で、ストリームタイプ毎（例えば、映像ＥＳ、音声ＥＳ毎）に一番小さいコンポーネントタグ値を持つＥＳである。特に、メインビュー（メイングループ）では、マルチビュー放送における全体のデフォルトＥＳとしてｃｏｍｐｏｎｅｎｔ＿ｔａｇ＝“０ｘ００”及びｃｏｍｐｏｎｅｎｔ＿ｔａｇ＝“０ｘ１０”を必ず含まなければならない。
【００５４】
コンポーネントタグを参照することで、コンポーネントグループに属する、つまり、マルチビュー放送の各ビューで放送する映像ＥＳ、音声ＥＳを特定することができる。また、コンポーネントタグが分かると、上述したＰＭＴが備えているコンポーネントタグと、上記コンポーネントタグで特定される映像ＥＳ、音声ＥＳのＰＩＤとを関係づけたコンポーネントタグテーブルにより、該当するＴＳパケットのＰＩＤを取得することができる。
【００５５】
このように、ＴＳに多重化されたＥＩＴに記載されるコンポーネントグループ情報を参照することで、編成チャンネルで提供される放送がマルチビュー放送であるのか、通常放送であるのかを知ることができる。また、ＥＩＴは、数秒に１回、ＴＳに多重化されているのでＥＩＴを取得することにより、編成チャンネルで提供される放送が、マルチビュー放送であるのか、通常放送であるのかを常に把握することが可能となる。
【００５６】
再び、図２に戻り、記録再生装置１００の要部構成について説明をする。多重／分離回路１２は、デジタルチューナー１１でのデジタル放送受信時には、デジタルチューナー１１から供給されるＴＳのデジタル放送特有のスクランブルを解いた後、供給されるＴＳからＰＥＳを抽出し、映像ＰＥＳと音声ＰＥＳに分離した後、それぞれをＭＰＥＧビデオデコーダ１７ａ，１７ｂ，１７ｃ、ＭＰＥＧオーディオデコーダ２１に供給する。
【００５７】
具体的には、多重／分離回路１２は、図５に示すようにセクション形式でＴＳに多重化されたＰＳＩを取得し、解析するＰＳＩ解析部１２ａと、ＰＳＩ解析部１２ａで解析されＰＭＴから取得された映像ＰＥＳ、音声ＰＥＳ、ＰＣＲが格納されているＴＳパケットのＰＩＤを設定し、設定したＰＩＤに基づいて該当するＴＳパケットを分離、抽出するＰＩＤフィルタ部１２ｂとを備えている。
【００５８】
ＰＳＩ解析部１２ａは、ＰＡＴ及びＰＭＴからＴＳに多重化されている編成チャンネルそれぞれについての映像ＰＥＳが格納されているＴＳパケットのＰＩＤ、音声ＰＥＳが格納されているＴＳパケットのＰＩＤ、ＰＣＲが格納されているＴＳパケットのＰＩＤを取得する。ＰＳＩ解析部１２ａは、取得したＰＩＤをＰＩＤフィルタ部１２ｂに供給する。
【００５９】
ＰＩＤフィルタ部１２ｂは、ＰＳＩ解析部１２ａから供給された各編成チャンネルの映像ＰＥＳが格納されているＴＳパケットのＰＩＤ、音声ＰＥＳが格納されているＴＳパケットのＰＩＤ、ＰＣＲが格納されているＴＳパケットのＰＩＤをそれぞれ設定する。
【００６０】
ＰＩＤフィルタ部１２ｂは、デジタルチューナー１１からＴＳ信号が供給されると、設定したＰＩＤに基づいて、映像ＰＥＳ、音声ＰＥＳ、ＰＣＲがそれぞれ格納されているＴＳパケットを分離して抽出し、それぞれ、ＭＰＥＧビデオデコーダ１７ａ，１７ｂ，１７ｃ、ＭＰＥＧオーディオデコーダ２１、ＳＴＣ再生部２８に供給する。
【００６１】
ＰＩＤフィルタ部１２ｂは、映像ＰＥＳ用のフィルタを３つ、音声ＰＥＳ用のフィルタを１つ備えている。ＰＣＲ用のフィルタは、マルチビュー放送においては、多重化された編成チャンネルでＰＣＲが共通であるため、１つだけを用意すればよい。
【００６２】
再び、図２に戻り、記録再生装置１００の要部構成について説明をする。また、多重／分離回路１２は、当該多重／分離回路１２に内蔵された各種情報のパージング機能により、ＴＳに多重化されている上述したＥＩＴといったＳＩを抜き出し、ＳＤＲＡＭ１５に格納させる。ホストＣＰＵ１４は、当該多重／分離回路１２によって抜き出され、ＳＤＲＡＭ１５に格納されたＳＩを解析することで、電子番組情報（ＥＰＧ）を生成したり、ＥＩＴに基づいて、通常放送からマルチビュー放送への切り替えや、マルチビュー放送から通常放送への切り替えを制御したりすることができる。
【００６３】
また、多重／分離回路１２では、後述する記録媒体５０への記録時には映像ＥＳと音声ＥＳ及び各種制御信号の多重化処理を施す。多重／分離回路１２は、入力されたＭＰＥＧ映像ＥＳと、ＭＰＥＧ音声ＥＳと、各種制御信号と合わせ、多重化処理（例えば、ＭＰＥＧシステムのトランスポートストリームの生成）、バッファ制御処理を施し、記録／再生処理部１３に出力する。
【００６４】
バッファ制御処理とは、連続的に入力されるＴＳを、後段の記録／再生処理部１３に断続的に送る為の制御を行うことである。例えば、記録／再生処理部１３が記録媒体５０のシーク動作を行っている時は、ＴＳの書き込みができないので、バッファにＴＳを一時的に蓄え、書き込みが可能な時は、入力のレートより高いレートで書き込みを行うことにより、連続的に入力されるＴＳを途切れることなく記録する。
【００６５】
さらにまた、多重／分離回路１２は、記録媒体５０の再生時には、上述したデジタルチューナー１１によるデジタル放送受信時と同様に、記録／再生処理部１３で再生され断続的に供給されるＴＳを、連続的になるようバッファ制御を行った後、分離処理を行う。多重／分離回路１２の分離処理では、ＴＳからＰＥＳを抽出し、さらに映像ＰＥＳと音声ＰＥＳに分離した後、ＭＰＥＧビデオデコーダ１７ａ，１７ｂ，１７ｃと、ＭＰＥＧオーディオデコーダ２１に供給する。
【００６６】
記録／再生処理部１３は、記録媒体５０へのデータ記録処理、記録媒体５０に記録されたデータの再生処理を行う。記録媒体５０は、当該記録再生装置１００の図示しない装着部に装着可能な光ディスク、光磁気ディスク、固体メモリなどや、あらかじめ当該記録再生装置に搭載されたＨＤＤ（Ｈａｒｄ  Ｄｉｓｋ  Ｄｒｉｖｅ）などである。記録／再生処理部１３は、多重／分離回路１２から供給されるＴＳを後述する所定の記録フォーマットに変換し記録媒体５０に記録する。また、記録／再生処理部１３は、記録媒体５０に記録されたデータを再生し、多重／分離回路１２に出力する。
【００６７】
記録媒体５０にＴＳを記録する場合、ユーザによって指定された編成チャンネルで提供されるイベントのＴＳパケットのみが多重／分離回路１２で抽出され、記録／再生処理部１３によって記録される。このとき、記録／再生処理部１３は、他の番組情報を記録媒体５０に記録しないようにＥＩＴを除去する。
【００６８】
記録媒体５０では、ユーザによって選択された編成チャンネル中のイベントの音声ストリームと、映像ストリームとが所定のフォーマットに変換されたＡＶストリームと、上記ＡＶストリームに対応する付属情報とがクリップ（Ｃｌｉｐ）という単位で扱われ、それぞれクリップＡＶストリームファイル（Ｃｌｉｐ  ＡＶ  ｓｔｒｅａｍ  ｆｉｌｅ）、クリップインフォメーションファイル（Ｃｌｉｐ  Ｉｎｆｏｒｍａｔｉｏｎ  ｆｉｌｅ）に格納され管理される。
【００６９】
クリップインフォメーションファイルには、対応するクリップＡＶストリームファイルを管理するための数種類の情報が格納されている。クリップインフォメーションファイルに格納される情報には、例えば、プログラムインフォメーション（ＰｒｏｇｒａｍＩｎｆｏ）や、ＣＰＩ（Ｃｈａｒａｃｔｅｒｉｓｔｉｃ  Ｐｏｉｎｔ  Ｉｎｆｏｒｍａｔｉｏｎ）がある。
【００７０】
プログラムインフォメーションには、ユーザによって指定された編成チャンネルの記録時に除去されるＥＩＴから、当該編成チャンネルに関するコンポーネントグループ情報だけが抽出され、ＰＭＴから編成チャンネルで供給する音声ストリーム、映像ストリームのＰＩＤ情報などが抽出され記述されている。
【００７１】
プログラムインフォメーションは、記録媒体５０に記録されたクリップＡＶストリームに関する情報が、Ｐｒｏｇｒａｍ−ｓｅｑｕｅｎｃｅと呼ばれる単位ごと記載されている。クリップＡＶストリームは、時間変化と共にストリーム内で、例えば、通常放送からマルチビュー放送へと変化することがある。したがって、クリップＡＶストリームは、Ｐｒｏｇｒａｍ−ｓｅｑｕｅｎｃｅ単位で当該クリップＡＶストリーム内での変化点を情報として保持している。クリップＡＶストリーム内での変化点とは、上述したように例えば、ビデオストリームがＳＤＴＶからＨＤＴＶに変化する箇所や、ビデオストリームを伝送するＴＳパケットのＰＩＤが変化する箇所などであり、これらの情報をあらかじめ保持していることで、記録媒体５０に記録されたＡＶストリームのデコード処理を円滑に実行することができる。
【００７２】
したがって、ユーザによって指定された編成チャンネルで提供されるイベントを記録媒体５０に記録した場合でも、記録媒体５０に記録されるプログラムインフォメーションを参照することで、ＥＩＴ、ＰＭＴに替わって、マルチビュー放送と、通常放送との切り替わりを検出することができる。
【００７３】
続いて、図６に示すシンタクス（Ｓｙｎｔａｘ）で記述されるプログラムインフォメーションについて具体的に説明をする。
【００７４】
プログラムインフォメーションには、クリップＡＶストリームファイルに格納されているクリップＡＶストリームを、所定の特徴が継続的に続く時間区間で定義した上述のＰｒｏｇｒａｍ−ｓｅｑｕｅｎｃｅについての情報が記述されている。Ｐｒｏｇｒａｍ−ｓｅｑｕｅｎｃｅは、例えば、ビデオストリームの数が変化しない、各ビデオストリームのＰＩＤの値とＶｉｄｅｏＣｏｄｉｎｇＩｎｆｏによって定義される符号化情報が変化しないといった時間区間によって定義される。また、Ｐｒｏｇｒａｍ−ｓｅｑｕｅｎｃｅは、後述するＥＰ＿ｍａｐを持つＡＶストリームファイルで使用するものである。
【００７５】
まず、ｎｕｍ＿ｏｆ＿ｐｒｏｇｒａｍ＿ｓｅｑｕｅｎｃｅｓでは、クリップＡＶストリーム中のＰｒｏｇｒａｍ−ｓｅｑｕｅｎｃｅの数が記述される。ＳＰＮ＿ｐｒｏｇｒａｍ＿ｓｅｑｕｅｎｃｅ＿ｓｔａｒｔでは、クリップＡＶストリーム中で定義されるＰｒｏｇｒａｍ−ｓｅｑｕｅｎｃｅの開始ソースパケットナンバーが記述されている。ＳＰＮ＿ｐｒｏｇｒａｍ＿ｓｅｑｕｅｎｃｅ＿ｓｔａｒｔは、記録媒体５０の再生時において、ホストＣＰＵ１４によって再生中のストリームのＰｒｏｇｒａｍ−ｓｅｑｕｅｎｃｅを特定する際に使用される。ｎｕｍ＿ｏｆ＿ｓｔｒｅａｍｓ＿ｉｎ＿ｐｓでは、Ｐｒｏｇｒａｍ−ｓｅｑｕｅｎｃｅ内で定義されるビデオストリーム、オーディオストリームの数が記述されている。ｎｕｍ＿ｏｆ＿ｇｒｏｕｐｓでは、上述したＥＩＴのコンポーネントグループ情報におけるｎｕｍ＿ｏｆ＿ｇｒｏｕｐｓに相当するＰｒｏｇｒａｍ−ｓｅｑｕｅｎｃｅ内で定義されるグループの数が記述されている。ＥＩＴにおけるコンポーネントグループと同様に、Ｐｒｏｇｒａｍ−ｓｅｑｕｅｎｃｅ内で定義されるグループは、マルチビュー放送のビューの数を規定しており、記録媒体５０にマルチビュー放送が記録されると、ｎｕｍ＿ｏｆ＿ｇｒｏｕｐｓ＝“マルチビュー放送のビューの数”となり、マルチビュー放送が記録されていないとｎｕｍ＿ｏｆ＿ｇｒｏｕｐｓ＝“１”となる。ｓｔｒｅａｍ＿ＰＩＤには、各グループに属するＡＶストリームのＰＩＤがｓｔｒｅａｍ＿ｉｎｄｅｘ毎に記載され、ｓｔｒｅａｍＣｏｄｉｎｇＩｎｆｏは、同じく各グループに属するＡＶストリームのストリームコーディング情報、例えば、ストリームがビデオか、オーディオかといった情報が、ｓｔｒｅａｍ＿ｉｎｄｅｘ毎に記載されている。
【００７６】
ｎｕｍ＿ｏｆ＿ｓｔｒｅａｍｓ＿ｉｎ＿ｇｒｏｕｐでは、上記Ｐｒｏｇｒａｍ−ｓｅｑｕｅｎｃｅ内に定義されたプログラム毎にＡＶストリームの数が記載されている。
【００７７】
ｒｅｆ＿ｔｏ＿ｓｔｒｅａｍ＿ｉｎｄｅｘでは、各グループに属するＡＶストリームがｓｔｒｅａｍ＿ｉｎｄｅｘで記述されている。例えば、プログラムインフォメーションを取得したホストＣＰＵ１４は、当該ｒｅｆ＿ｔｏ＿ｓｔｒｅａｍ＿ｉｎｄｅｘに記述されたｓｔｒｅａｍ＿ｉｎｄｅｘに対応した上記ｓｔｒｅａｍ＿ＰＩＤ、ｓｔｒｅａｍＣｏｄｉｎｇＩｎｆｏを参照することで各グループに属するＡＶストリームのＰＩＤや、ビデオ、オーディオタイプなどの各種情報を取得することができる。
【００７８】
次に、上述したプログラムインフォメーションと同じく記録媒体５０への記録時にクリップインフォメーションファイルに格納されるＣＰＩについて説明をする。
【００７９】
ＣＰＩは、クリップＡＶストリーム中の時間情報と、そのファイルの中のアドレスとを関連づけるために用意されている。ＣＰＩには、クリップＡＶストリームの時刻情報としてＰＴＳ（Ｐｒｅｓｅｎｔａｔｉｏｎ  Ｔｉｍｅ  Ｓｔａｍｐ）と、それに対応するアドレス情報としてＳＰＮ（Ｓｏｕｒｃｅ  Ｐａｃｋｅｔ  Ｎｕｍｂｅｒ）との関係を示したＥＰ＿ｍａｐと、時刻情報としてＴＳパケットの到着時刻と、それに対応するアドレス情報（ＳＰＮ）との関係を示したＴＵ＿ｍａｐとがある。特に、ＥＰ＿ｍａｐは、記録媒体５０に記録するクリップＡＶストリームのシンタクスを解析することができる場合に作成され、記録媒体５０に記録される。ＥＰ＿ｍａｐは、デコードを開始すべきエントリーポイントを見つけるための情報を保持している。
【００８０】
ここで、一例として示す図７を用いて、ビデオストリーム用のＥＰ＿ｍａｐについて説明する。ＥＰ＿ｍａｐは、ｓｔｒｅａｍ＿ＰＩＤ、ＰＴＳ＿ＥＰ＿ｓｔａｒｔ、及び、ＳＰＮ＿ＥＰ＿ｓｔａｒｔというデータを持つ。Ｓｔｒｅａｍ＿ＰＩＤは、ビデオストリームを伝送するトランスポートパケットのＰＩＤを示す。ＰＴＳ＿ＥＰ＿ｓｔａｒｔは、ビデオストリームのシーケンスヘッダから始める復号再生の単位であるアクセスユニットのＰＴＳを示す。ＳＰＮ＿ＥＰ＿ｓｔａｒｔは、ＡＶストリームの中でＰＴＳ＿ＥＰ＿ｓｔａｒｔにより参照されるアクセスユニットの第１バイト目を含むソースパケットのアドレスを示す。
【００８１】
ＥＰ＿ｍａｐ＿ｆｏｒ＿ｏｎｅ＿ｓｔｒｅａｍ＿ＰＩＤと呼ばれるサブテーブルは、同じＰＩＤを持つトランスポートパケットによって伝送されるビデオストリーム毎に作られる。クリップＡＶストリーム中に複数のビデオストリームが存在する場合、ＥＰ＿ｍａｐは、複数のＥＰ＿ｍａｐ＿ｆｏｒ＿ｏｎｅ＿ｓｔｒｅａｍ＿ＰＩＤを含んでいてもよい。
【００８２】
図７に示す例において、クリップＡＶストリームは、ｓｔｒｅａｍ＿ＰＩＤが“ｘ”、“ｙ”、“ｚ”の３つのストリームが多重化されている。多重化された３つのストリームのパケットのうち最初のパケット“ｘ１”、“ｙ１”、“ｚ１”は、この順番でデコードされるが、続くパケットでは、“ｙ２”、“ｘ２”、“ｚ２”の順番で読み出されることになる。
【００８３】
記録媒体５０にクリップＡＶストリームとして記録された映像ストリーム、音声ストリームを再生し、読み出して、デコード処理する場合、ＳＴＣに基づいて、アクセスユニット毎に与えられたＰＴＳの順番に処理されることになる。
【００８４】
ところで、上述したように、マルチビュー放送と、通常放送との切り替わり箇所は、Ｐｒｏｇｒａｍ−ｓｅｑｕｅｎｃｅ単位で記述されるプログラムインフォメーションを参照することによって知ることができる。
【００８５】
上述したように、Ｐｒｏｇｒａｍ−ｓｅｑｕｅｎｃｅには、当該Ｐｒｏｇｒａｍ−ｓｅｑｕｅｎｃｅの始まりを示す開始ソースパケットナンバーがＳＰＮ＿ｐｒｏｇｒａｍ＿ｓｅｑｕｅｎｃｅ＿ｓｔａｒｔによって記載されている。したがって、ホストＣＰＵ１４は、ＥＰ＿ｍａｐを用いて、現在時刻のＳＴＣから再生中のストリーム上のＳＰＮを取得し、クリップＡＶストリーム中にあるＰｒｏｇｒａｍ−ｓｅｑｕｅｎｃｅの開始ソースパケットナンバーと、取得したＳＰＮとから、再生されているストリームが、どのＰｒｏｇｒａｍ−ｓｅｑｕｅｎｃｅのストリームかを知ることができる。Ｐｒｏｇｒａｍ−ｓｅｑｕｅｎｃｅが特定されれば、プログラムインフォメーションよりグループ数を知ることができるので、現在再生されているストリームがマルチビュー放送を記録したクリップか、通常放送を記録したクリップかが分かる。
【００８６】
再び、図２に戻り記録再生装置１００の要部構成について説明をする。
【００８７】
ホストＣＰＵ１４は、当該記録再生装置１００の全ての機能ブロックを統括的に制御する。また、ホストＣＰＵ１４は、ホストバスを介し、ＳＤＲＡＭ１５、ＲＯＭ１６に必要に応じてアクセスしシステム全体の制御を行う。
【００８８】
ホストＣＰＵ１４は、デジタルチューナー１１でのデジタル放送受信時には、多重／分離回路１２で抽出され、ＳＤＲＡＭ１５に格納されたＥＩＴ、ＰＭＴを参照して、現在受信している編成チャンネルが、マルチビュー放送であるのか、通常放送であるのかを判断する。さらに、ホストＣＰＵ１４は、判断結果に応じて、音声ＰＥＳを含むＴＳパケットのＰＩＤ、映像ＰＥＳを含むＴＳパケットのＰＩＤをＰＩＤフィルタ部１２ｂに設定し、ＭＰＥＧビデオデコーダ１７ａ，１７ｂ，１７ｃを制御してデコード処理を実行させる。
【００８９】
また、ホストＣＰＵ１４は、記録媒体５０に記録された編成チャンネルのクリップの再生時には、記録媒体５０に記録されたクリップインフォメーションファイルから読み出されＳＤＲＡＭ１５に格納されたプログラムインフォメーションと、ＣＰＩとを用いて、現在再生されている編成チャンネルのクリップがマルチビュー放送を記録したものであるのか、通常放送を記録したものであるのかを判断する。さらに、ホストＣＰＵ１４は、判断結果に応じて、音声ＰＥＳを含むＴＳパケットＰＩＤ、映像ＰＥＳを含むＴＳパケットのＰＩＤをＰＩＤフィルタ部１２ｂに設定し、ＭＰＥＧビデオデコーダ１７ａ，１７ｂ，１７ｃを制御してデコード処理を実行させる。
【００９０】
ＭＰＥＧビデオデコーダ１７ａ，１７ｂ，１７ｃは、入力された映像ＰＥＳに復号処理を施し、ベースバンドの画像データを取得し、ビデオミキサー１７ｄに供給する。
【００９１】
続いて、図８を用いて、ＭＰＥＧビデオデコーダ１７ａ，１７ｂ，１７ｃの構成について説明をする。なお、ＭＰＥＧビデオデコーダ１７ａ，１７ｂ，１７ｃの構成は全て同じであるため、ＭＰＥＧビデオデコーダ１７ａの構成についてのみ説明をする。
【００９２】
ＭＰＥＧビデオデコーダ１７ａは、コードバッファ３１と、デコードコア３２と、フレームメモリ３３と、ディスプレイ部３４とを備えている。
【００９３】
コードバッファ３１は、多重／分離回路１２から供給された映像ＰＥＳを一時的に蓄積する。
【００９４】
デコードコア３２は、ＳＴＣ再生部２８から出力されるＳＴＣ値に基づいてコードバッファ３１に蓄積された映像ＰＥＳを読み出し、ＰＥＳヘッダの解析後、ＰＴＳ、ＤＴＳとともにデコード処理をして画像データを生成する。デコードコア３２は、生成された画像データをフレームメモリ３３へ書き込む。
【００９５】
デコードコア３２は、フレームメモリ３３への画像データ書き込み時において、ピクチャヘッダに記述されたＤＴＳ値とＳＴＣ再生部２８から供給されるＳＴＣ値とを比較し、遅れのあるＢピクチャを捨てる。
【００９６】
フレームメモリ３３は、所定の記憶容量を備えたメモリであり、デコードコア３２によってデコード処理された画像データをフレーム単位で記憶する。
【００９７】
ディスプレイ部３４は、ＰＴＳと、ＳＴＣ再生部２８から供給されるＳＴＣ値とを比較し、ＳＴＣ値より小さいＰＴＳ値を持つピクチャは捨て、最もＳＴＣ値に近いＰＴＳ値を持つピクチャを表示するようにフレームメモリ３３に記憶された画像データを選択する。
【００９８】
したがって、ＳＴＣ値が増加するにしたがい、順次表示するピクチャを切り換えていくことで、ＳＴＣ値に同期した画像データが出力表示されることになる。
【００９９】
再び、図２に戻り、記録再生装置１００の要部構成について説明をする。
【０１００】
ビデオミキサー１７ｄは、ＭＰＥＧビデオデコーダ１７ａ，１７ｂ，１７ｃからそれぞれ供給された画像データをミックスして、後段のポスト映像信号処理回路１８に供給する。
【０１０１】
ポスト映像信号処理回路１８は、図示しない切替回路、フィールド巡回型ノイズリデューサー回路、動き検出回路、映像信号補間処理回路で構成されており、ビデオミキサー１７ｄから供給される画像データと、プリ映像信号処理回路７から供給される画像データとを切替えた後、各種処理を施し、ＯＳＤ１９に画像データを供給する。
【０１０２】
ＯＳＤ１９は、画面表示用のグラフィックッス等の生成を行い、画像データに重ねたり、部分的に表示する等の処理を施し、ＮＴＳＣエンコーダ２０に供給する。
【０１０３】
ＮＴＳＣエンコーダ２０は、入力された画像データ（コンポーネントデジタル信号）をＹＣ信号に変換した後、Ｄ／Ａ変換を行い、アナログのコンポジット映像信号とＳ映像信号を取得し、テレビジョン受像機２００に備えられた映像入力端子に入力する。
【０１０４】
ＭＰＥＧオーディオデコーダ２１は、多重／分離回路１２から供給された音声ＥＳ信号を復号処理してベースバンド音声信号を取得し、切替回路２２に供給する。
【０１０５】
切替回路２２は、ＭＰＥＧオーディオデコーダ２１から供給される音声データと、音声Ａ／Ｄ変換器９から供給される音声データの選択を行い、選択した音声データを音声Ｄ／Ａ変換器２３に出力する。
【０１０６】
音声Ｄ／Ａ変換器２３は、音声データをアナログ音声信号に変換し、変換したアナログ音声信号をテレビジョン受像機２００に備えられた音声入力端子に入力する。
【０１０７】
次に、デジタルＩＮ／ＯＵＴ２４から供給、出力される信号について説明する。例えば、外部のＩＲＤ（Ｉｎｔｅｇｒａｔｅｄ  Ｒｅｃｅｉｖｅｒ  Ｄｅｃｏｄｅｒ）から、ＩＥＥＥ１３９４のようなデジタルインターフェースであるデジタルＩＮ／ＯＵＴ２４を介して入力された信号を記録する場合、デジタル信号はデジタルインターフェース回路２５に入力される。
【０１０８】
デジタルインターフェース回路２５では、本方式に適合するよう、フォーマット変換等の処理を施し、ＴＳを生成し多重／分離回路１２に供給する。多重／分離回路１２では、更に制御信号等の解析や生成を行い、本方式に適応するＴＳに変換する。
【０１０９】
また、これと同時に多重／分離回路１２にて、分離処理を行い、ＭＰＥＧビデオデコーダ１７ａ，１７ｂ，１７ｃに映像ＥＳ、ＭＰＥＧオーディオデコーダ２１に音声ＥＳをそれぞれ供給することにより、アナログの映像、音声信号を得ることができる。
【０１１０】
記録媒体５０を記録／再生処理部１３で再生した場合、再生されたＴＳは、上述したように多重／分離回路１２に入力される。多重／分離回路１２に入力されたＴＳは、必要に応じ、制御信号の解析、生成を行い、デジタルインターフェース回路２５に供給する。デジタルインターフェース回路２５では、記録時とは逆の変換を行い、外部のＩＲＤに適合するデジタル信号に変換し、デジタルＩＮ／ＯＵＴ２４を介し出力する。
【０１１１】
また、これと同時に多重／分離回路１２にて、分離処理を行い、ＭＰＥＧビデオデコーダ１７ａ，１７ｂ，１７ｃ、ＭＰＥＧオーディオデコーダ２１にＰＥＳを供給することにより、アナログの映像、音声信号を得ることができる。
【０１１２】
本実施例では、ＩＲＤとの接続について述べたが、ＴＶ等のＡＶ機器や、パーソナルコンピュータと接続することも可能である。
【０１１３】
地上波ＥＰＧ用チューナー２６は、ホストＣＰＵ１４により制御され、ＥＰＧが重畳されているＣＨを受信し、受信したビデオ信号をデータスライサ２７に供給する。
【０１１４】
データスライサ２７では、入力されたビデオ信号からＥＰＧデータを抽出し、ホストＣＰＵ１４に供給する。ホストＣＰＵ１４では、このＥＰＧ信号の解析を行い、ＧＵＩ上に番組情報の表示等を行う。ＢＳデジタルや地上波放送から取得したＥＰＧデータは、番組表の表示のみならず、タイマー記録や記録済番組のタイトル表示の情報として使用される。
【０１１５】
ＳＴＣ再生部２８は、多重／分離回路１２から供給されるＰＣＲのＳＴＣ値に基づいて、送信機側のシステム・クロックに同期したＳＴＣ値を生成し、ＭＰＥＧビデオデコーダ１７ａ，１７ｂ，１７ｃやＭＰＥＧオーディオデコーダ２１などに出力する。
【０１１６】
入力インターフェース２９は、当該記録再生装置１００のユーザインターフェースであり、例えば、当該記録再生装置１００本体に備えられたコントロールボタンや、当該記録再生装置１００を遠隔操作可能なリモートコントローラ３００などである。ユーザは、入力インターフェース２９を使用することで、当該記録再生装置１００における、編成チャンネルの選択操作、記録媒体５０への記録操作、記録媒体５０からの再生操作、マルチビュー放送又は通常放送において画面表示形態を切り替える操作など当該記録再生装置１００に備えられたユーザが操作可能な機能に対するコマンドを入力することができる。
【０１１７】
このような構成の本発明の実施の形態として示す記録再生装置１００において、デジタルチューナー１１で受信され選択された編成チャンネルで提供されるイベント（番組）が、マルチビュー放送であるのか、通常放送であるのかといった提供される放送サービスの違いに応じて、画面表示形態を自動的に切り替える動作について図９に示すフローチャートを用いて説明をする。
【０１１８】
図９に示すフローチャートを用いて説明する動作の前段において、記録再生装置１００では、あらかじめ、マルチビュー放送、又は、通常放送を提供している編成チャンネルがユーザによって選択されているとする。これにより、記録再生装置１００の多重／分離回路１２のＰＩＤフィルタ部１２ｂには、なんらかのＰＩＤがセットされており、ＰＩＤフィルタ部１２ｂにセットされたＰＩＤに基づいてＴＳから映像ＰＥＳ、音声ＰＥＳが格納されているＴＳパケットが抽出されているとする。
【０１１９】
まず、ステップＳ１において、多重／分離回路１２は、デジタルチューナー１１で受信したＴＳから、新たなＰＡＴ、ＥＩＴを取得し、さらにＰＡＴよりＰＭＴを取得する。多重／分離回路１２で取得されたＥＩＴ、ＰＭＴはＳＤＲＡＭ１５に送出される。
【０１２０】
ステップＳ２において、ホストＣＰＵ１４は、多重／分離回路１２から送出されＳＤＲＡＭ１５に格納されたＥＩＴを参照し、ユーザによって選択されている編成チャンネルのイベントが、マルチビュー放送から通常放送に切り替わったか、又は、通常放送からマルチビュー放送へと切り替わったかどうかを判断する。
【０１２１】
例えば、選択された編成チャンネルが通常放送をしていた場合に、ホストＣＰＵ１４は、新たに取得したＥＩＴに記載されているコンポーネントグループ情報を参照し、コンポーネントグループ記述子のｃｏｍｐｏｎｅｎｔ＿ｇｒｏｕｐ＿ｔｙｐｅが“０００”という値が記述されているとすると、マルチビュー放送に切り替わったことを知ることができる。
【０１２２】
また、選択された編成チャンネルがマルチビュー放送をしていた場合、ホストＣＰＵ１４は、新たに取得したＥＩＴに記載されているコンポーネントグループ情報を参照し、コンポーネントグループ記述子のｃｏｍｐｏｎｅｎｔ＿ｇｒｏｕｐ＿ｔｙｐｅが“０００”ではない値が記述されているとすると、通常放送に切り替わったことを知ることができる。
【０１２３】
通常放送からマルチビュー放送、又は、マルチビュー放送から通常放送に切り替わった場合は、工程をステップＳ３へと進め、切り替わってない場合は工程をステップＳ１に戻す。
【０１２４】
ステップＳ３において、ホストＣＰＵ１４は、ＥＩＴに記載されたコンポーネントグループ記述子のｎｕｍ＿ｏｆ＿ｇｒｏｕｐを参照し、コンポーネントグループの数が、新たなＥＩＴを取得するまでのコンポーネントグループの数と同じであるかどうか判断する。
【０１２５】
コンポーネントグループの数が同じである場合は、工程をステップＳ４へと進め、コンポーネントグループの数が同じでない場合は、工程をステップＳ１へと戻す。
【０１２６】
ステップＳ４において、ホストＣＰＵ１４は、コンポーネントグループの数が増加したかどうかを判断する。コンポーネントグループの数が減少した場合は、工程をステップＳ８へと進め、コンポーネントグループの数が増加した場合は、工程をステップＳ５へと進める。
【０１２７】
ステップＳ５において、ホストＣＰＵ１４は、ＥＩＴに記載されたコンポーネントグループ毎に、コンポーネントグループ記述子のｃｏｍｐｏｎｅｎｔ＿ｔａｇと、ステップＳ１で取得したＰＭＴとを用いて、映像ＰＥＳを含むＴＳパケット、音声ＰＥＳを含むＴＳパケットのＰＩＤをそれぞれ決定する。
【０１２８】
ステップＳ６において、ホストＣＰＵ１４は、ステップＳ５によって決定されたＴＳパケットのＰＩＤを多重／分離回路１２のＰＩＤフィルタ部１２ｂにそれぞれセットする。
【０１２９】
ステップＳ７において、ホストＣＰＵ１４は、コンポーネントグループが増加した分を考慮し、多重／分離回路１２のＰＩＤフィルタ部１２ｂにセットされた映像ＰＥＳを含むＴＳパケットのＰＩＤの数に応じてＭＰＥＧビデオデコーダ１７ａ，１７ｂ，１７ｃのいずれかを動作させる。つまりコンポーネントグループが増加しているので動作させるＭＰＥＧビデオデコーダも増加する。
【０１３０】
ステップＳ８において、ホストＣＰＵ１４は、ＥＩＴに記載されたコンポーネントグループ毎に、コンポーネントグループ記述子のｃｏｍｐｏｎｅｎｔ＿ｔａｇと、ステップＳ１で取得したＰＭＴとを用いて、映像ＰＥＳを含むＴＳパケット、音声ＰＥＳを含むＴＳパケットのＰＩＤをそれぞれ決定する。
【０１３１】
ステップＳ９において、ホストＣＰＵ１４は、ステップＳ８によって決定されたＴＳパケットのＰＩＤを多重／分離回路１２のＰＩＤフィルタ部１２ｂにそれぞれセットする。
【０１３２】
ステップＳ１０において、ホストＣＰＵ１４は、コンポーネントグループが減少した分を考慮し、多重／分離回路１２のＰＩＤフィルタ部１２ｂにセットされた映像ＰＥＳを含むＴＳパケットのＰＩＤの数に応じてＭＰＥＧビデオデコーダ１７ａ，１７ｂ，１７ｃのいずれかを動作させる。つまり、コンポーネントグループが減少しているので動作させるＭＰＥＧビデオデコーダも減少する。
【０１３３】
ステップＳ１１において、ホストＣＰＵ１４は、ビデオミキサー１７ｄを制御してコンポーネントグループ数にしたがって画面表示形態を変化させる。
【０１３４】
例えば、コンポーネントグループ数が１から３に増加した場合は、１つの画面上に３つの画像を表示させるよう制御し、コンポーネントグループ数が３から１に減少した場合は、１つの画面上に１つの画像を表示させる。
【０１３５】
なお、ビデオミキサー１７ｄでの画像ミキシング処理は、上述したようにコンポーネントグループ数に応じたホストＣＰＵ１４の制御によって自動的に行う以外にも、入力インターフェース２９からユーザが所定のコマンドを入力することで、表示する画像数を選択するようにしてもよい。例えば、コンポーネントグループ数が３つあった場合でも、ユーザが、所定のコマンドを入力インターフェース２９を介してホストＣＰＵ１４に入力し、ビデオミキサー１７ｄを制御することで２つの画像だけを選択的に表示させることも、１つの画像だけを選択的に表示させることもできる。
【０１３６】
このようにして、ホストＣＰＵ１４は、ＴＳに多重化されたＥＩＴに記載されたコンポーネントグループ情報を取得することで、ユーザによって選択された編成チャンネルの所定のイベントが、マルチビュー放送であるのか、通常放送であるのかを知ることができる。したがって、通常放送からマルチビュー放送へ変化した場合や、マルチビュー放送から通常放送へと変化した場合に、ホストＣＰＵ１４は、ＭＰＥＧビデオデコーダ１７ａ，１７ｂ，１７ｃ、ビデオミキサー１７ｄを制御して、マルチビュー放送、通常放送に適した画面表示形態となるように画像を出力することができる。
【０１３７】
次に、記録再生装置１００において、記録媒体５０に記録した、ユーザによって選択された編成チャンネルの所定のクリップを再生し、再生されたクリップがマルチビュー放送されたイベントを記録したクリップか、通常放送されたイベントを記録したクリップであるのかといった違いに応じて、画面表示形態を自動的に切り替える動作について図１０に示すフローチャートを用いて説明をする。
【０１３８】
ステップＳ２１において、ホストＣＰＵ１４は、記録媒体５０に記録されたクリップの所定の箇所がユーザから再生開始要求されたことに応じて、再生開始要求された時刻を再生開始時刻として設定する。
【０１３９】
ステップＳ２２において、ホストＣＰＵ１４は、ユーザが再生開始要求をしたクリップの所定の箇所の時刻（アイテム上の時刻）を設定する。ステップＳ２１及びステップＳ２２の工程により、現在時刻と、記録媒体５０に記録されているクリップが保持する時刻情報とが１対１で関係づけられることになる。
【０１４０】
ステップＳ２３において、ホストＣＰＵ１４は、記録媒体５０に記録されているクリップインフォメーションファイルに格納された全てのＣＰＩ（ＥＰ＿ｍａｐ）を読み出し、ステップＳ２２において設定されたアイテム上の時刻に最も近いＰＴＳを検索する。さらにホストＣＰＵ１４は、検索されたＰＴＳから、当該ＰＴＳに対応するＳＰＮ（Ｓｏｕｒｃｅ  Ｐａｃｋｅｔ  ｎｕｍｂｅｒ）を決定する。
【０１４１】
上述したように記録媒体５０に記録されているＣＰＩ（ＥＰ＿ｍａｐ）は、クリップＡＶストリームのシーケンスヘッダ毎の時間情報と、当該クリップＡＶストリームが格納されているクリップＡＶストリームファイル中のアドレスであるＳＰＮとを関連づけるために用意されている。
【０１４２】
ステップＳ２４において、ホストＣＰＵ１４は、ステップＳ２３でＣＰＩ（ＥＰ＿ｍａｐ）によって求められたＳＰＮから、上記ＳＰＮに最も近いＳＰＮ＿ｐｒｏｇｒａｍ＿ｓｅｑｕｅｎｃｅ＿ｓｔａｒｔを持つＰｒｏｇｒａｍ−ｓｅｑｕｅｎｃｅを決定し、決定したＰｒｏｇｒａｍ−ｓｅｑｕｅｎｃｅのプログラムインフォメーションを取得する。
【０１４３】
ステップＳ２５において、ホストＣＰＵ１４は、ステップＳ２４で取得したプログラムインフォメーションのｎｕｍ＿ｏｆ＿ｇｒｏｕｐｓを参照し、当該Ｐｒｏｇｒａｍ−ｓｅｑｕｅｎｃｅ内のグループ数を取得する。
【０１４４】
Ｐｒｏｇｒａｍ−ｓｅｑｕｅｎｃｅ内のグループ数は、上述したようにＥＩＴでのコンポーネントグループの数に相当し、グループ数が１より多ければマルチビュー放送が記録されており、グループ数が１であれば通常放送であることが分かる。
【０１４５】
ステップＳ２６において、ホストＣＰＵ１４は、前回取得したＰｒｏｇｒａｍ−ｓｅｑｕｅｎｃｅのグループ数と、ステップＳ２５で取得したＰｒｏｇｒａｍ−ｓｅｑｕｅｎｃｅのプログラムインフォメーションに記載されたグループ数とが同じ数であるかどうかを判断する。
【０１４６】
Ｐｒｏｇｒａｍ−ｓｅｑｕｅｎｃｅ内のグループ数が同じでない場合は、工程をステップＳ２７へと進め、Ｐｒｏｇｒａｍ−ｓｅｑｕｅｎｃｅ内のグループ数が同じである場合は、工程をステップＳ２１へと戻す。
【０１４７】
ステップＳ２７において、ホストＣＰＵ１４は、Ｐｒｏｇｒａｍ−ｓｅｑｕｅｎｃｅ内のグループ数が増加したかどうかを判断する。Ｐｒｏｇｒａｍ−ｓｅｑｕｅｎｃｅ内のグループ数が増加した場合は、工程をステップＳ２８へと進め、Ｐｒｏｇｒａｍ−ｓｅｑｕｅｎｃｅ内のグループ数が減少した場合は、工程をステップＳ３１へと進める。
【０１４８】
ステップＳ２８において、ホストＣＰＵ１４は、同じくプログラムインフォメーションのｎｕｍ＿ｏｆ＿ｓｔｒｅａｍｓ＿ｉｎ＿ｇｒｏｕｐ、ｒｅｆ＿ｔｏ＿ｓｔｒｅａｍ＿ｉｎｄｅｘを参照し、Ｐｒｏｇｒａｍ−ｓｅｑｕｅｎｃｅ内の各グループのストリームの数と、各ストリームのｓｔｒｅａｍ＿ｉｎｄｅｘを取得する。さらに、ｓｔｒｅａｍ＿ＰＩＤより、各ｓｔｒｅａｍ＿ｉｎｄｅｘに対する映像ＰＥＳを含むＴＳパケット、音声ＰＥＳを含むＴＳパケットのＰＩＤをそれぞれ決定する。
【０１４９】
Ｐｒｏｇｒａｍ−ｓｅｑｕｅｎｃｅ内の各グループにグルーピングされているストリームは、複数あってもよく、ビデオストリーム、音声ストリームとも各グループ内においてｓｔｒｅａｍ＿ｉｎｄｅｘの値が小さいものが採用されることになる。
【０１５０】
ステップＳ２９において、ホストＣＰＵ１４は、ステップＳ２８によって決定されたＴＳパケットのＰＩＤを多重／分離回路１２のＰＩＤフィルタ部１２ｂにそれぞれセットする。
【０１５１】
ステップＳ３０において、ホストＣＰＵ１４は、Ｐｒｏｇｒａｍ−ｓｅｑｕｅｎｃｅ内のグループ数が増加した分を考慮し、多重／分離回路１２のＰＩＤフィルタ部１２ｂにセットされた映像ＰＥＳを含むＴＳパケットのＰＩＤの数に応じてＭＥＰＧビデオデコーダ１７ａ，１７ｂ，１７ｃのいずれかを動作させる。つまり、Ｐｒｏｇｒａｍ−ｓｅｑｕｅｎｃｅ内のグループ数が増加しているので動作させるＭＰＥＧビデオデコーダも増加する。
【０１５２】
ステップＳ３１において、ホストＣＰＵ１４は、同じくプログラムインフォメーションのｎｕｍ＿ｏｆ＿ｓｔｒｅａｍｓ＿ｉｎ＿ｇｒｏｕｐ、ｒｅｆ＿ｔｏ＿ｓｔｒｅａｍ＿ｉｎｄｅｘを参照し、Ｐｒｏｇｒａｍ−ｓｅｑｕｅｎｃｅ内の各グループのストリームの数と、各ストリームのｓｔｒｅａｍ＿ｉｎｄｅｘを取得する。さらに、ｓｔｒｅａｍ＿ＰＩＤより、各ｓｔｒｅａｍ＿ｉｎｄｅｘに対する映像ＰＥＳを含むＴＳパケット、音声ＰＥＳを含むＴＳパケットのＰＩＤをそれぞれ決定する。
【０１５３】
Ｐｒｏｇｒａｍ−ｓｅｑｕｅｎｃｅ内の各グループにグルーピングされているストリームは、複数あってもよく、ビデオストリーム、音声ストリームとも各グループ内においてｓｔｒｅａｍ＿ｉｎｄｅｘの値が小さいものが採用されることになる。
【０１５４】
ステップＳ３２において、ホストＣＰＵ１４は、ステップＳ３１によって決定されたＴＳパケットのＰＩＤを多重／分離回路１２のＰＩＤフィルタ部１２ｂにそれぞれセットする。
【０１５５】
ステップＳ３３において、ホストＣＰＵ１４は、Ｐｒｏｇｒａｍ−ｓｅｑｕｅｎｃｅ内のグループ数が減少した分を考慮し、多重／分離回路１２のＰＩＤフィルタ部１２ｂにセットされた映像ＰＥＳを含むＴＳパケットのＰＩＤの数に応じてＭＰＥＧビデオデコーダ１７ａ，１７ｂ，１７ｃのいずれかを動作させる。つまり、Ｐｒｏｇｒａｍ−ｓｅｑｕｅｎｃｅ内のグループ数が減少しているので動作させるＭＰＥＧビデオデコーダも減少する。
【０１５６】
ステップＳ３４において、ホストＣＰＵ１４は、ビデオミキサー１７ｄを制御してＰｒｏｇｒａｍ−ｓｅｑｕｅｎｃｅ内のグループ数にしたがって画面表示形態を変化させる。
【０１５７】
例えば、Ｐｒｏｇｒａｍ−ｓｅｑｕｅｎｃｅ内のグループ数が１から３に増加した場合は、１つの画面上に３つの画像を表示させるよう制御し、Ｐｒｏｇｒａｍ−ｓｅｑｕｅｎｃｅ内のグループ数が３から１に減少した場合は、１つの画面上に１つの画像を表示させる。
【０１５８】
なお、ビデオミキサー１７ｄでの画像ミキシング処理は、上述したようにＰｒｏｇｒａｍ−ｓｅｑｕｅｎｃｅ内のグループ数に応じたホストＣＰＵ１４の制御によって自動的に行う以外にも、入力インターフェース２９からユーザが所定のコマンドを入力することで、表示する画像数を選択するようにしてもよい。例えば、Ｐｒｏｇｒａｍ−ｓｅｑｕｅｎｃｅ内のグループ数が３つあった場合でも、ユーザが、所定のコマンドを入力インターフェース２９を介してホストＣＰＵ１４に入力し、ビデオミキサー１７ｄを制御することで２つの画像だけを選択的に表示させることも、１つの画像だけを選択的に表示させることもできる。
【０１５９】
このようにして、ホストＣＰＵ１４は、記録媒体５０に記録されたプログラムインフォメーションと、ＣＰＩ（ＥＰ＿ｍａｐ）とを取得することで、記録媒体５０に記録され再生されたクリップが、マルチビュー放送であるのか、通常放送であるのかを知ることができる。したがって、通常放送からマルチビュー放送へ変化した場合や、マルチビュー放送から通常放送へと変化した場合に、ホストＣＰＵ１４は、ＭＰＥＧビデオデコーダ１７ａ，１７ｂ，１７ｃ、ビデオミキサー１７ｄを制御して、マルチビュー放送、通常放送に適した画面表示形態となるように画像を出力することができる。
【０１６０】
【発明の効果】
以上の説明からも明らかなように本発明の受信装置及び方法は、受信した多重化ストリームに所定の周期で多重化された編成チャンネル情報を抽出することで、選択した編成チャンネルにおいて同時に出力表示可能な画像ストリームデータの最大本数ｎを取得できるため、現在、選択された編成チャンネルにおいて提供されている放送サービス形態が通常放送であるのかマルチビュー放送であるのかを常に把握することができる。
【０１６１】
また、多重化ストリームから抽出した編成チャンネル情報に記述された第１の識別情報と、テーブルとから、選択された編成チャンネルで提供されるｎ本の画像ストリームデータを上記多重化ストリームにおいて識別するｎ個の第２の識別情報を取得できるため、通常放送からマルチビュー放送、マルチビュー放送から通常放送へと放送サービス形態が変化したことに応じて、上記ｎ個の第２の識別情報で識別されるｎ本の画像ストリームデータを上記多重化ストリームから抽出し、復号して、復号したｎ個の画像データを適切な画面表示形態となるように出力表示させることが可能となる。
【０１６２】
以上の説明からも明らかなように本発明の再生装置及び方法は、記録媒体から再生された多重化記録ストリームに記録されたテーブルと、プログラムシーケンス管理情報とを抽出することで、再生要求された箇所において、同時に出力表示可能なｎ本の画像ストリームデータを上記多重化記録ストリーム上で識別するｎ個の識別情報を取得することができる。
【０１６３】
したがって、所定の編成チャンネルで提供され、通常放送からマルチビュー放送、マルチビュー放送から通常放送へと放送サービス形態が変化した番組を記録した記録媒体を再生した場合でも、通常放送からマルチビュー放送、マルチビュー放送から通常放送へと放送サービス形態が変化したことに応じて、上記ｎ個の識別情報で識別されるｎ本の画像ストリームデータを上記多重化記録ストリームから抽出し、復号して、復号したｎ個の画像データを適切な画面表示形態となるように出力表示させることが可能となる。
【０１６４】
以上の説明からも明らかなように本発明の記録再生装置及び方法は、受信した多重化ストリームから、選択した編成チャンネルに多重化されたｎ本の画像ストリームデータを多重化記録ストリームとして記録媒体に記録し、記録媒体から再生された多重化記録ストリームに記録されたテーブルと、プログラムシーケンス管理情報とを抽出することで、再生要求された箇所において、同時に出力表示可能なｎ本の画像ストリームデータを上記多重化記録ストリーム上で識別するｎ個の識別情報を取得することができる。
【０１６５】
したがって、所定の編成チャンネルで提供され、通常放送からマルチビュー放送、マルチビュー放送から通常放送へと放送サービス形態が変化した番組を記録した記録媒体を再生した場合でも、通常放送からマルチビュー放送、マルチビュー放送から通常放送へと放送サービス形態が変化したことに応じて、上記ｎ個の識別情報で識別されるｎ本の画像ストリームデータを上記多重化記録ストリームから抽出し、復号して、復号したｎ個の画像データを適切な画面表示形態となるように出力表示させることが可能となる。
【図面の簡単な説明】
【図１】本発明の実施の形態として示す記録再生装置の使用形態を示した図である。
【図２】同記録再生装置において、当該記録再生装置の要部構成を説明するためのブロック図である。
【図３】ＭＰＥＧ（Ｍｏｖｉｎｇ  Ｐｉｃｔｕｒｅ  Ｅｘｐｅｒｔｓ  Ｇｒｏｕｐ）２トランスポートストリームについて説明するための図である。
【図４】ＥＩＴ（Ｅｖｅｎｔ  Ｉｎｆｏｒｍａｔｉｏｎ  Ｔａｂｌｅ）に記載されるコンポーネントグループ記述子のシンタクスについて説明するための図である。
【図５】本発明の実施の形態として示す記録再生装置の多重／分離回路の要部構成について説明するための図である。
【図６】記録媒体に記録されるプログラムインフォメーションのシンタクスについて説明するための図である。
【図７】記録媒体に記録されるＥＰ＿ｍａｐについて説明するための図である。
【図８】本実施の形態として示す記録再生装置において、ＭＰＥＧビデオデコーダの要部構成について説明するための図である。
【図９】同記録再生装置において、デジタルチューナーで編成チャンネルを受信した場合に、画面表示形態が自動的に切り替わる動作について説明するためのフローチャートである。
【図１０】同記録再生装置において、記録媒体に記録されたクリップを再生した場合に、画面表示形態が自動的に切り替わる動作について説明するためのフローチャートである。
【図１１】マルチビュー放送について説明するための図である。
【符号の説明】
１１  デジタルチューナー、１２  多重／分離回路（ＭＵＸ／ＤＭＸ）、１２ａ  ＰＳＩ解析部、１２ｂ  ＰＩＤ（Ｐａｃｋｅｔ  Ｉｄｅｎｔｉｆｉｃａｔｉｏｎ）フィルタ部、１３  記録／再生処理部、１４  ホストＣＰＵ、１５  ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、１７ａ，１７ｂ，１７ｃ  ＭＰＥＧ（Ｍｏｖｉｎｇ  Ｐｉｃｔｕｒｅ  Ｅｘｐｅｒｔｓ  Ｇｒｏｕｐ）ビデオデコーダ、１７ｄ  ビデオミキサー、２８  ＳＴＣ（Ｓｙｓｔｅｍ  Ｔｉｍｅ  Ｃｌｏｃｋ）再生部、５０  記録媒体、１００  記録再生装置
【図１】
2004193673.tif 000003
【図２】
2004193673.tif 000004
【図３】
2004193673.tif 000005
【図４】
2004193673.tif 000006
【図５】
2004193673.tif 000007
【図６】
2004193673.tif 000008
【図７】
2004193673.tif 000009
【図８】
2004193673.tif 000010
【図９】
2004193673.tif 000011
【図１０】
2004193673.tif 000012
【図１１】
2004193673.tif 000013